(57)【要約】  非直交多元接続（ＮｏＭＡ）送信のための方法が提供される。一実施形態では、ネットワーク装置におけるＮｏＭＡ信号を送信するための方法は、情報ビットを取得するステップを含む。方法は、ＮｏＭＡ信号を送信するステップも含む。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有、ＵＥ固有、又はそれらの組合せである。
2019530384.tif 000002
【特許請求の範囲】
【請求項１】
ネットワーク装置における非直交多元接続（ＮｏＭＡ）信号を送信するための方法であって、
情報ビットを取得するステップと、
前記ＮｏＭＡ信号を送信するステップであって、該ＮｏＭＡ信号は１つ又は複数のレイヤを含み、前記ＮｏＭＡ信号は、前記情報ビットに従って、及び複数の信号処理動作から選択された信号処理動作のセットに従って生成され、該信号処理動作のセットの少なくとも１つはレイヤ固有である、送信するステップと、を含む、
方法。
【請求項２】
前記信号処理動作のセットの少なくとも１つは、ユーザ装置（ＵＥ）固有、ネットワーク固有、又はそれらの組合せである、請求項１に記載の方法。
【請求項３】
前記ＮｏＭＡ信号を生成するために使用される前記信号処理動作のセットは、レイヤ固有のビットレベル多重化信号処理動作、及びレイヤ固有のシンボルレベル多重化信号処理動作のうちの少なくとも１つを含む、請求項１又は２に記載の方法。
【請求項４】
前記信号処理動作のセットは、
ａ）ビットレベルインターリーブ、
ｂ）ビットレベルスクランブル、
ｃ）シンボルレベル拡散、
ｄ）シンボルレベルインターリーブ、
ｅ）シンボル対送信ユニットマッピング、
ｆ）変調シンボルシーケンス生成、
ｇ）シンボル対リソース要素（ＲＥ）マッピング、
ｈ）シンボルシーケンスプリコーディング、及び
ｉ）波形変調
のうちの少なくとも１つを実行する動作を含む、請求項１乃至３のいずれか一項に記載の方法。
【請求項５】
前記ＮｏＭＡ信号を送信するステップは、少なくとも１つのユーザ装置（ＵＥ）からネットワーク受信機へのアップリンク方向に前記ＮｏＭＡ信号を送信するステップを含む、請求項１乃至４のいずれか一項に記載の方法。
【請求項６】
前記少なくとも１つのＵＥは、ネットワークからの入力なしに、どの信号処理動作を選択するかの決定を下す、請求項５に記載の方法。
【請求項７】
前記ＮｏＭＡ信号を生成するために、複数の信号処理動作から選択された信号処理動作のセットに従って生成された前記ＮｏＭＡ信号を送信するステップは、
ａ）アプリケーション固有のシナリオ、
ｂ）ＮｏＭＡ送信のための物理レイヤ要件、及び
ｃ）キーパラメータインジケータ（ＫＰＩ）
のうちの少なくとも１つに基づいて、前記複数の信号処理動作から前記信号処理動作のセットを選択するステップを含む、請求項１乃至６のいずれか一項に記載の方法。
【請求項８】
前記ＮｏＭＡ送信のための前記物理レイヤ要件は、
ａ）信号のスペクトル効率、
ｂ）前記信号の変調及び符号化方式、
ｃ）ピーク対平均電力比（ＰＡＰＲ）、及び
ｄ）前記信号のチャネル属性
のうちの少なくとも１つを含む、請求項７に記載の方法。
【請求項９】
前記ＮｏＭＡ信号を生成するために、複数の信号処理動作から選択された信号処理動作のセットに従って生成された前記ＮｏＭＡ信号を送信するステップは、１つ又は複数の性能要件を満たすように前記信号処理動作のセットの１つ又は複数を設定するステップをさらに含む、請求項１に記載の方法。
【請求項１０】
前記１つ又は複数の性能要件は、
ａ）信号カバレッジ、
ｂ）システム接続密度、及び
ｃ）スペクトル効率
に関連する少なくとも１つの性能要件を含む、請求項９に記載の方法。
【請求項１１】
非直交多元接続（ＮｏＭＡ）信号を送信するように設定されるユーザ装置（ＵＥ）であって、当該ＵＥは、
少なくとも１つのアンテナと、
プロセッサと、
コンピュータ実行可能命令を記憶したコンピュータ可読記憶媒体と、を有しており、
前記命令が前記プロセッサによって実行されると、
情報ビットを取得することと、
前記ＮｏＭＡ信号を送信することであって、該ＮｏＭＡ信号は１つ又は複数のレイヤを含み、前記ＮｏＭＡ信号は、前記情報ビットに従って、及び複数の信号処理動作から選択された信号処理動作のセットに従って生成され、該信号処理動作のセットの少なくとも１つの信号処理動作はレイヤ固有である、送信することと、
を含む方法を実行する、
ユーザ装置。
【請求項１２】
前記信号処理動作のセットの少なくとも１つは、ユーザ装置（ＵＥ）固有、ネットワーク固有、又はそれらの組合せである、請求項１１に記載のユーザ装置。
【請求項１３】
前記ＮｏＭＡ信号を生成するために使用される前記信号処理動作のセットは、レイヤ固有のビットレベル多重化信号処理動作及びレイヤ固有のシンボルレベル多重化信号処理動作のうちの少なくとも１つを含む、請求項１１又は１２に記載のユーザ装置。
【請求項１４】
前記信号処理動作のセットは、
ａ）ビットレベルインターリーブ、
ｂ）ビットレベルスクランブル、
ｃ）シンボルレベル拡散、
ｄ）シンボルレベルインターリーブ、
ｅ）シンボル対送信ユニットマッピング、
ｆ）変調シンボルシーケンス生成、
ｇ）シンボル対リソース要素（ＲＥ）マッピング、
ｈ）シンボルシーケンスプリコーディング、及び
ｉ）波形変調
のうちの少なくとも１つを実行する動作を含む、請求項１１乃至１３のいずれか一項に記載のユーザ装置。
【請求項１５】
前記ＮｏＭＡ信号を送信することは、少なくとも１つのユーザ装置（ＵＥ）からネットワーク受信機へのアップリンク方向に前記ＮｏＭＡ信号を送信することを含む、請求項１１乃至１４のいずれか一項に記載のユーザ装置。
【請求項１６】
前記少なくとも１つのＵＥは、ネットワークからの入力なしに、どの信号処理動作を選択するかの決定を下す、請求項１５に記載のユーザ装置。
【請求項１７】
前記ＮｏＭＡ信号を生成するために、複数の信号処理動作から選択された信号処理動作のセットに従って生成された前記ＮｏＭＡ信号を送信することは、
ａ）アプリケーション固有のシナリオ、
ｂ）ＮｏＭＡ送信のための物理レイヤ要件、及び
ｃ）キーパラメータインジケータ（ＫＰＩ）
のうちの少なくとも１つに基づいて、前記複数の信号処理動作から前記信号処理動作のセットを選択することを含む、請求項１１乃至１６のいずれか一項に記載のユーザ装置。
【請求項１８】
前記ＮｏＭＡ送信のための前記物理レイヤ要件は、
ａ）信号のスペクトル効率、
ｂ）前記信号の変調及び符号化方式、
ｃ）ピーク対平均電力比（ＰＡＰＲ）、及び
ｄ）前記信号のチャネル属性
のうちの少なくとも１つを含む、請求項１７に記載のユーザ装置。
【請求項１９】
前記ＮｏＭＡ信号を送信するために、複数の信号処理動作から選択された信号処理動作のセットに従って生成された前記ＮｏＭＡ信号を送信することは、１つ又は複数の性能要件を満たすように前記信号処理動作のセットの１つ又は複数を設定することをさらに含む、請求項１１乃至１８のいずれか一項に記載のユーザ装置。
【請求項２０】
前記１つ又は複数の性能要件は、
ａ）信号カバレッジ、
ｂ）システム接続密度、及び
ｃ）スペクトル効率
に関連する少なくとも１つの性能要件を含む、請求項１９に記載のユーザ装置。
【発明の詳細な説明】
【技術分野】
【０００１】
関連出願への相互参照
本願は、２０１６年１０月１３日に出願された米国仮出願第６２／４０７，９９９号、２０１６年９月１４日に出願された米国仮出願第６２／３９４，４５４号、及び２０１７年９月１１日に出願された、“Non-Orthogonal Multiple Access Transmission”という表題の米国特許出願第１５／７０１，０３５号の利益を主張するものであり、これらは全て、その全体が参照により本明細書に組み込まれる。
【０００２】
本開示は、概して、非直交多元接続（ＮｏＭＡ（non-orthogonal multiple access））を利用する通信システムに関する。
【背景技術】
【０００３】
非直交多元接続（ＮｏＭＡ）は、複数のユーザ装置（ＵＥ（user equipment））がＭＡリソースと呼ばれ得る送信リソースを同時に共有する多元接続技術である。非直交多元接続（ＮｏＭＡ）は、利用可能な直交リソースの数に基づいてＵＥの数を制限することなく、複数のＵＥが送信リソースを同時に共有することを許容する。ＭＡリソースは、ＭＡ物理リソースとＭＡシグネチャとから構成され、ＭＡシグネチャは、コードブック／コードワード、シーケンス、インターリーバ及び／又はマッピングパターン、復調参照信号、プリアンブル、空間次元、パワー次元等を含む。
【０００４】
ＮｏＭＡは、次世代の通信技術の標準化のための活発的なトピックである。多数の提案されたＮｏＭＡ方式がある。提案されたＮｏＭＡ方式の多くは、あるタイプの通信シナリオには特に効果的であるが、他のタイプの通信シナリオには効果的というほどではない。
【発明の概要】
【０００５】
ネットワーク装置におけるＮｏＭＡ信号を送信するための実施形態の方法は、情報ビットを取得するステップを含む。方法は、ＮｏＭＡ信号を送信することも含む。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有、ＵＥ固有、又はそれらの組合せである。
【０００６】
非直交多元接続（ＮｏＭＡ）信号を送信するように設定される一実施形態のユーザ装置（ＵＥ）は、少なくとも１つのアンテナと、プロセッサと、プロセッサによって実行されると方法を実行するコンピュータ実行可能命令を記憶したコンピュータ可読記憶媒体とを含む。方法は情報ビットを取得することを含む。方法はＮｏＭＡ信号を送信することも含む。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有、ＵＥ固有、又はそれらの組合せである。
【０００７】
非直交多元接続（ＮｏＭＡ）信号を送信するように設定される一実施形態のユーザ装置（ＵＥ）が提供される。ＵＥは、情報ビットを受信するか、そうでなければ取得するように設定される。ＵＥは、ＮｏＭＡ信号を送信するようにも設定される。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有、ＵＥ固有、又はそれらの組合せである。
【０００８】
本開示の１つ又は複数の態様では、信号処理動作のセットの少なくとも１つは、レイヤ固有、ユーザ装置（ＵＥ）固有、ネットワーク固有、又はそれらの組合せである。
【０００９】
本開示の１つ又は複数の態様では、ＮｏＭＡ信号を生成するために使用される信号処理動作のセットは、レイヤ固有又はＵＥ固有のビットレベル多重化信号処理動作、及びレイヤ固有又はＵＥ固有のシンボルレベル多重化信号処理動作のうちの少なくとも１つを含む。
【００１０】
本開示の１つ又は複数の態様では、信号処理動作のセットは、ａ）ビットレベルインターリーブ及び／又はスクランブル、ｂ）シンボルレベル拡散、ｃ）シンボルレベルインターリーブ、ｄ）シンボル対送信（symbol-to-transmission）ユニットマッピング、ｅ）ビットレベルスクランブル、ｆ）変調シンボルシーケンス生成、ｇ）シンボル対リソース要素（ＲＥ（resource element））マッピング、ｈ）シンボルシーケンスプリコーディング、及びｆ）波形変調のうちの少なくとも１つを実行する動作を含む。
【００１１】
本開示の１つ又は複数の態様では、ＮｏＭＡ信号を送信することは、少なくとも１つのユーザ装置（ＵＥ）からネットワーク受信機へのアップリンク方向にＮｏＭＡ信号を送信することを含む。
【００１２】
本開示の１つ又は複数の態様では、少なくとも１つのＵＥは、ネットワークからの入力なしに、どの信号処理動作を選択するかの決定を下す。
【００１３】
本開示の１つ又は複数の態様では、ＮｏＭＡ信号を生成するために、複数の信号処理動作から選択された信号処理動作のセットに従って生成されたＮｏＭＡ信号を送信することは、ａ）アプリケーション固有のシナリオ、ｂ）チャネル品質指標（ＣＱＩ（channel quality indicator））、ＳＮＲ測定値を含むＮｏＭＡ送信のための物理レイヤ要件、及びｃ）満たしているキーパラメータインジケータ（ＫＰＩ（key parameter indicator））のうちの少なくとも１つに基づいて、複数の信号処理動作から信号処理動作のセットを選択することを含む。
【００１４】
本開示の１つ又は複数の態様では、ＮｏＭＡ送信のための物理レイヤ要件は、ａ）信号のスペクトル効率、ｂ）信号の変調及び符号化方式、ｃ）ピーク対平均電力比（ＰＡＰＲ（peak-to-average power ratio））、及びｄ）信号のチャネル属性のうちの少なくとも１つを含む。
【００１５】
本開示の１つ又は複数の態様では、ＮｏＭＡ信号を生成するために、複数の信号処理動作から選択された信号処理動作のセットに従って生成されたＮｏＭＡ信号を送信することとは、１つ又は複数の性能要件を満たすように信号処理動作のセットの１つ又は複数を設定することをさらに含む。
【００１６】
本開示の１つ又は複数の態様では、１つ又は複数の性能要件は、ａ）信号カバレッジ、ｂ）システム接続密度、及びｃ）スペクトル効率に関連する性能要件を含む。
【００１７】
開示されるシステム及び方法は、ＵＥ又はレイヤに固有であるいくつかのＵＥ固有又はレイヤ固有の特徴をそれぞれ適用することによって複数のＵＥから送信された信号を区別することを可能にするＮｏＭＡ技術を提供する。これらの特徴には、ＦＥＣ、ビットレベルインターリーブ／スクランブル；変調シンボルシーケンス生成器；及びシンボル対ＲＥマッピングが含まれるが、これらに限定されるものではない。
【００１８】
そのようなＵＥ固有又はレイヤ固有（又は両方）の信号処理動作に基づいて、別個の多元接続方式を展開することができる。これらの信号処理動作は、ＦＥＣ、ビットレベルインターリーブ／スクランブル；変調シンボルシーケンス生成器；及びシンボル対ＲＥマッピングを含み得るが、これらに限定されるものではない。
【００１９】
信号処理動作の特定のセットの選択に基づいてＮｏＭＡ信号を生成するためのフレームワークが開示される。次に、信号処理動作のセットは、情報ビットを処理し、且つ送信のためのＮｏＭＡ信号を生成するために使用される。
【００２０】
いくつかの実施形態では、開示されるシステム及び方法は複数の利点を有する。例えば、フレームワークを使用して、それぞれが信号処理動作の異なるサブセットを含む様々なＮｏＭＡ方式を導くことができる。そのようなフレームワークは、ＵＥによって使用され、所望の性能又は送信要件及び／又は送信アプリケーションを満たす信号処理動作のセットを有するＮｏＭＡ方式を選択することができる。
【００２１】
本開示の実施形態の他の態様及び特徴は、以下の説明を検討すれば当業者には明らかになるであろう。
【００２２】
本開示及びその利点のより完全に理解のために、ここで添付の図面と併せて以下の説明を参照する。
【図面の簡単な説明】
【００２３】
【図１Ａ】本願の一態様による、様々な多元接続（ＭＡ（multiple access））方式を生成するために使用され得る例示的なフレームワークを示す概略図である。
【図１Ｂ】本願の一態様による、様々なＭＡ方式を生成するために使用され得る例示的な代替フレームワークを示す概略図である。
【図２】本願の一態様による、フレームワークから導かれる例示的なＭＡ方式を示す概略図である。
【図３】本願の一態様による、フレームワークから導かれる別の例示的なＭＡ方式を示す概略図である。
【図４】本願の一態様による、フレームワークから導かれる別の例示的なＭＡ方式を示す概略図である。
【図５】本願の一態様による、フレームワークから導かれる別の例示的なＭＡ方式を示す概略図である。
【図６】本願の一態様による、フレームワークから導かれる例示的なＭＡ方式を示す概略図である。
【図７】本願の一態様による、フレームワークから導かれる例示的なＭＡ方式を示す概略図である。
【図８】本願の一態様による、フレームワークから導かれる例示的なＭＡ方式を示す概略図である。
【図９】本願の一態様による、１６ＱＡＭコンステレーションの再ラベル付けの一例を示す概略図である。
【図１０】本願の一態様による１６ＱＡＭコンステレーションを再マッピングする代替例を示す概略図である。
【図１１】本願の一実施形態による例示的な方法のフロー図である。
【図１２】本願の一実施形態による例示的な方法のフロー図である。
【図１３】本願の一態様による、様々な非直交多元接続（ＮｏＭＡ）方式を規定するために使用され得る例示的なフレームワークを示す概略図である。
【図１４Ａ】本願の一態様による、フレームワークから導かれる例示的なＮｏＭＡ方式を示す概略図である。
【図１４Ｂ】本願の一態様による、フレームワークから導かれる別の例示的なＮｏＭＡ方式を示す概略図である。
【図１５】本願の一態様による、フレームワークから導かれる例示的なＮｏＭＡ方式を示す概略図である。
【図１６Ａ】本願の一態様による、フレームワークから導かれる例示的なＮｏＭＡ方式を示す概略図である。
【図１６Ｂ】本願の一態様による、フレームワークから導かれる例示的なＮｏＭＡ方式を示す概略図である。
【図１７】本願の一態様による、フレームワークから導かれる例示的なＮｏＭＡ方式を示す概略図である。
【図１８】本願の一態様による、フレームワークから導かれる例示的なＮｏＭＡ方式を示す概略図である。
【図１９】本願の一実施形態による例示的な方法のフロー図である。
【図２０】本願の一態様による、様々な非直交多元接続（ＮｏＭＡ）方式を規定するために使用され得る例示的なフレームワークを示す概略図である。
【図２１】本願の一態様による、図２０のビットレベルインターリーバ／スクランブラ機能の例を示す概略図である。
【図２２】本願の一態様による、図２０のビットレベルインターリーバ／スクランブラ機能の例を示す概略図である。
【図２３】本願の一態様による、図２０の変調シンボルレベルシーケンス生成器の機能の例を示す概略図である。
【図２４】本願の一態様による、図２０の変調シンボルレベルシーケンス生成器の機能の例を示す概略図である。
【図２５】本願の一態様による、図２０の変調シンボルレベルシーケンス生成器の機能の例を示す概略図である。
【図２６】本願の一態様による、図２０の変調シンボルレベルシーケンス生成器の機能の例を示す概略図である。
【図２７】本願の一態様による、図２０の変調シンボルレベルシーケンス生成器の機能の例を示す概略図である。
【図２８】本願の一態様による、図２０の変調シンボルレベルシーケンス生成器の機能の例を示す概略図である。
【図２９】本願の一態様による、図２０の変調シンボルレベルシーケンス生成器の機能の例を示す概略図である。
【図３０Ａ】本開示の態様による、図２１のシンボルシーケンスプリコーダの機能の例を示す概略図である。
【図３０Ｂ】本開示の態様による、図２１のシンボルシーケンスプリコーダの機能の例を示す概略図である。
【図３０Ｃ】本開示の態様による、図２１のシンボルシーケンスプリコーダの機能の例を示す概略図である。
【図３１】本願の一態様による、図２０のシンボル対ＲＥマッピング機能ユニットの例を示す概略図である。
【図３２】本願の一実施形態による例示的な方法のフロー図である。
【図３３】本願の一態様による、ＭＡ信号を送信するための例示的なユーザ装置（ＵＥ）のブロック図である。
【図３４】本願の一態様による、ＭＡ信号を送信するための例示的なネットワーク側受信機のブロック図である。
【図３５】本願の一態様による、ＭＡ信号を受信するための例示的な機器のブロック図である。
【発明を実施するための形態】
【００２４】
本開示の１つ又は複数の実施形態の例示的な実施態様を以下に提供するが、開示されるシステム及び／又は方法は、現在知られているか存在するかにかかわらず、任意の数の技法を使用して実施できることを最初に理解されたい。本開示は、本明細書に例示及び説明される例示的な設計及び実施態様を含む、以下に示される例示的な実施態様、図面、及び技術に決して限定すべきではなく、添付の特許請求の範囲の範囲内でそれらの全範囲の均等物と共に変更することができる。
【００２５】
非直交多元接続（ＮｏＭＡ）は、一般に、多重信号を所与の共有リソース上で１つ又は複数の送信機から１つ又は複数の受信機に同時に送信することを可能にする。共有リソースは、時間リソース、周波数リソース、空間リソース、又はそれらのいくつかの組合せを含み得る。ダウンリンク（ＤＬ（downlink））シナリオでは、ネットワーク側装置が複数の別個のユーザ装置（ＵＥ）に送信することができる。アップリンク（ＵＬ（uplink））シナリオでは、複数のＵＥがネットワーク側受信機に送信することができる。
【００２６】
ＵＬ  ＮｏＭＡシナリオでは、ＵＥは、複数のトーンでの送信のためのシンボルに適するように１つ又は複数のレイヤに配置される情報ビットを処理する。ＮｏＭＡでは、信号を受信する受信機において複数のＵＥからのシンボルが衝突する可能性が高い。ＮｏＭＡ技術は、ＵＥ又はレイヤに固有であるいくつかのＵＥ固有又はレイヤ固有の特徴をそれぞれ適用することによって、複数のＵＥからの送信信号を区別しようと試みることができる。これらの特徴には、ＦＥＣ、ビットレベルインターリーブ／スクランブル；変調シンボルシーケンス生成器；及びシンボル対ＲＥマッピングが含まれ得るが、これらに限定されるものではない。本開示の一態様では、ＵＥ（又は、複数のＵＥ）は、複数のレイヤを使用してＭＡ信号を送信し、ＭＡ信号の各レイヤは、ＭＡ信号を生成するためにレイヤ固有及びＵＥ固有の動作を使用し得る。
【００２７】
そのようなＵＥ固有又はレイヤ固有（又は両方）の信号処理動作に基づいて、別個の多元接続方式を展開することができる。これらの信号処理動作は、ＦＥＣ、ビットレベルインターリーブ／スクランブル；変調シンボルシーケンス生成器；及びシンボル対ＲＥマッピングを含み得るが、これらに限定されるものではない。
【００２８】
信号処理動作の特定のセット（例えば、信号処理動作のうちの１つ又は複数）の選択に基づいてＮｏＭＡ信号を生成するためのフレームワークが提案される。次に、信号処理動作のセットは、情報ビットを処理し、且つ送信のためのＮｏＭＡ信号を生成するために使用される。いくつかの実施形態では、フレームワークを使用して、それぞれが信号処理動作の異なるサブセットを含む様々なＮｏＭＡ方式を導くことができる。そのようなフレームワークは、所望の送信アプリケーションを満たす信号処理動作のセットを有するＮｏＭＡ方式を選択するために、ＵＥによって使用され得る。
【００２９】
多元接続（ＭＡ）技術は、一般に、多重信号を所与の共有リソース上で１つ又は複数の送信機から１つ又は複数の受信機に同時に送信することを可能にする。共有リソースは、時間リソース、周波数リソース、空間リソース、又はそれらのいくつかの組合せを含み得る。ダウンリンク（ＤＬ）シナリオでは、時には送信ポイント（ＴＰ（transmit point））、受信ポイント（ＲＰ（receive point））、発展型ノードＢ（（evolved Node B）ｅＮｏｄｅ  Ｂ又はｅＮＢ）、又はアクセスポイントとしても知られる送受信ポイント（ＴＲＰ（transmit receive point））等のネットワーク側装置は、複数の別々のユーザ装置（ＵＥ）に送信することができる。アップリンク（ＵＬ）シナリオでは、複数のＵＥがネットワーク側受信機に送信することができる。
【００３０】
信号処理動作の特定のセットの選択に基づいてＭＡ信号を生成するためのフレームワークが提案される。信号処理動作のコアグループは、変調、拡散行列、及びシンボル対リソース要素（ＲＥ）マッピングを含む。位相又は電力調整動作、実部及び虚部の分離、及びコンステレーション再マッピング等であるがこれらに限定されるものではない追加の信号処理動作があり得る。フレームワークを使用して、それぞれが信号処理動作の異なるサブセットを含む様々なＭＡ方式を導くことができる。そのようなフレームワークは、所望の性能基準を満たす信号処理動作のセットを有するＭＡ方式を選択するように設定される送信機によって使用され得る。本明細書で使用される場合に、本明細書で説明する送信が本質的に非直交であるので、用語「ＭＡ」及び「ＮｏＭＡ」は、同等であり、互換可能に使用される。
【００３１】
本開示の一態様によれば、非直交多元接続（ＮｏＭＡ）信号の送信方法が提供される。方法は、ＮｏＭＡ信号を生成するために使用すべき複数の信号処理動作から信号処理動作のセットを選択するステップを含み、信号処理動作のセットのうちの少なくとも１つの信号処理動作は、レイヤ固有又はＵＥ固有の動作である。方法は、ＮｏＭＡ信号を生成するために選択した信号処理動作のセットを使用して、少なくとも１つのレイヤを情報ビットのストリームとして処理するステップも含む。生成されると、ＮｏＭＡ信号は送信される。
【００３２】
本開示の一態様によれば、ＮｏＭＡ信号を送信するように設定されるユーザ装置（ＵＥ）が提供される。ＵＥは、ＮｏＭＡ信号を生成するために使用すべき複数の信号処理動作から信号処理動作のセットを選択するように設定され、その動作のセットのうちの少なくとも１つの信号処理動作は、コードドメインのレイヤ固有又はＵＥ固有の動作である。ＵＥは、ＮｏＭＡ信号を生成するために選択した信号処理動作のセットを使用して、少なくとも１つのレイヤを情報ビットのストリームとして処理するようにも設定される。ＮｏＭＡ信号が生成されると、ＵＥはＮｏＭＡ信号を送信する。
【００３３】
本開示の一態様によれば、ＮｏＭＡ信号を送信するように設定されるＵＥが提供され、ＵＥは、少なくとも１つのアンテナと、プロセッサと、プロセッサによって実行されると方法を実行するコンピュータ実行可能命令を記憶したコンピュータ可読記憶媒体とを含む。プロセッサによって実行される方法は、ＮｏＭＡ信号を生成するために使用すべき複数の信号処理動作から信号処理動作のセットを選択することを含み、その動作のセットのうちの少なくとも１つの信号処理動作は、レイヤ固有又はＵＥ固有の動作である。方法は、ＮｏＭＡ信号を生成するために選択した信号処理動作のセットを使用して、少なくとも１つのレイヤを情報ビットのストリームとして処理することをさらに含む。ＮｏＭＡ信号が生成されると、ＵＥは、ＮｏＭＡ信号を少なくとも１つのアンテナで送信する。
【００３４】
本開示の一態様によれば、プロセッサによって実行されると方法を実行するコンピュータ実行可能命令を記憶したコンピュータ可読記憶媒体が提供される。プロセッサによって実行される方法は、ＮｏＭＡ信号を生成するために使用すべき複数の信号処理動作から信号処理動作のセットを選択することを含み、その動作のセットのうちの少なくとも１つの信号処理動作は、レイヤ固有又はＵＥ固有の動作である。方法は、送信のためのＮｏＭＡ信号を生成するために選択した信号処理動作のセットを使用して、少なくとも１つのレイヤを情報ビットのストリームとして処理することをさらに含む。
【００３５】
本開示の一態様によれば、ＮｏＭＡ送信のための方法が提供される。この方法は、性能要件を満たすような１つ又は複数の基準に基づいて、複数のＮｏＭＡ方式からＮｏＭＡ方式を選択するステップを含み、複数のＭＡ方式の各ＮｏＭＡ方式は信号処理動作のセットを含む。方法は、性能要件を満たすように信号処理動作のセットの１つ又は複数を設定するステップも含む。
【００３６】
本開示の一態様によれば、ＮｏＭＡ送信のために設定されたＵＥが提供される。ＵＥは、性能要件を満たすような１つ又は複数の基準に基づいて、複数のＮｏＭＡ方式からＮｏＭＡ方式を選択するように設定され、複数のＮｏＭＡ方式の各ＮｏＭＡ方式は信号処理動作のセットを含む。ＵＥは、性能要件を満たすように信号処理動作のセットの１つ又は複数を設定することもできる。
【００３７】
本開示の一態様によれば、プロセッサによって実行されると方法を実行するコンピュータ実行可能命令を記憶したコンピュータ可読記憶媒体が提供される。プロセッサによって実行される方法は、性能要件を満たすような１つ又は複数の基準に基づいて、複数のＮｏＭＡ方式からＮｏＭＡ方式を選択することを含み、複数のＮｏＭＡ方式の各ＮｏＭＡ方式は信号処理動作のセットを含む。プロセッサによって実行される方法は、性能要件を満たすように信号処理動作のセットの１つ又は複数を設定することも含む。
【００３８】
図１Ａは、ＭＡ信号を生成するためのフレームワーク１００の一部となり得る信号処理動作の一例を示す。ＭＡ信号として送信のためのビットｂ０，ｂ１，・・・，ｂｒ−１を含むビットストリームが、分割され、複数のサブストリーム１１０ａ，１１０ｂ，・・・，１１０ｒを形成する。３つのサブストリームが示されているが、サブストリームの数は３より多くても少なくてもよいことを理解されたい。各サブストリーム１１０ａ，１１０ｂ，１１０ｒは、それぞれの変調器１１５ａ，１１５ｂ，・・・，１１５ｒに入力される。変調器は、グレイラベリング等のベースラインラベリングを伴う、直交振幅変調（ＱＡＭ（Quadrature Amplitude Modulation））を含むベースライン変調器であり得る。自然ラベル付け（natural rabeling）を含む他のラベリングも使用され得る。変調器１１５ａ，１１５ｂ，・・・，１１５ｒによって実行される変調は、異なるサブストリーム１１０ａ，１１０ｂ，・・・，１１０ｒについて異なり得る。
【００３９】
図１Ａには、いくつかのオプションの処理ブロックが示される。図１Ａのオプションの処理ブロックは、電力及び／又は位相調整処理ブロック１２０ａ，１２０ｂ，・・・，１２０ｒと、実／虚分離処理ブロック１２５ａ，１２５ｂ，・・・，１２５ｒとを含む。電力及び／又は位相調整処理ブロック１２０ａ，１２０ｂ，・・・，１２０ｒは、それぞれの変調器の出力の位相又は電力を調整するのを可能にする。実／虚分離処理ブロック１２５ａ，１２５ｂ，・・・，１２５ｒは、それぞれの変調器の出力を出力の実部と出力の虚部とに分解するのを可能にする。
【００４０】
対応する変調器によるそれぞれのビットストリームから、又は対応するオプションの変調器の後の信号処理ブロックから出力されるシンボルは、成分と呼ぶことができる。次に、（線形）拡散は、拡散が成分固有の（線形）拡散と見なされ得るように各成分に別々に適用することができる。（線形）拡散は、図４Ａのフレームワークにおいて成分拡散行列１３０の形式で表される。成分拡散行列は、ｎ列及びｍ行を有すると考えることができ、ここで、ｎ及びｍは任意の整数値であり得る。ｎ＝１でありｍが１以上の場合に、行列は、ｍ個の要素を有するベクトル又は拡散シーケンスを表すことができる。同様に、ｍ＝１でありｎが１以上である場合に、行列は、ｎ個の要素を有するベクトル又は拡散シーケンスを表すことができる。当業者は、行列が、ｎ個のベクトル又は拡散シーケンスのセットであり、各ベクトルがｍ個の要素を有すると考え得ることも理解するであろう。成分拡散行列は単に拡散行列とも呼ばれ得る。成分拡散行列のｎ列のそれぞれは、変調器から出力された１つ又は複数の変調シンボルのグループを拡散／マッピングするために使用されるｍ個の要素の拡散シーケンスのセットを表すことができる。いくつかの態様では、拡散／マッピング動作は乗算演算によって実行される。拡散行列の出力は、拡散行列に適用された各成分（各変調シンボル）をシンボルのセット又はシーケンスに拡散又はマッピングする。シンボルのセット又はシーケンスは、同じ又は異なるコンステレーション（constellation）からのものであり得、同じ又は異なる次数を有し得る。
【００４１】
いくつかの実施態様では、成分拡散行列は、成分拡散行列１３０の列数が成分の数を表すように規定することができる。別の実施態様では、固定数の列について、列の数を送信信号の特性、例えば変調次数（order）にマッピングすることができる。行列の列数よりも要素が少ない場合に、次に、成分拡散行列の列のいくつかはゼロになる。例えば、変調次数が４の場合に、非ゼロの列数を２に設定できる。
【００４２】
別の実施態様では、成分拡散行列は、ＢＰＳＫ及びπ／２−ＢＰＳＫを含むがこれらに限定されない、所与の固定変調に基づいて規定することができる。成分拡散行列がＢＰＳＫ及び／又はπ／２−ＢＰＳＫに基づいて規定される場合に、列数は変調次数と等しくなるだろう。
【００４３】
実／虚分離が必要とされない場合に、成分の実部と虚部との両方について同じ拡散シーケンスを使用してもよい。そのような場合に、成分拡散シーケンスは、実部／虚部の各対に対して１つの拡散列しか含まないように単純化することができる。
【００４４】
成分拡散行列１３０の出力は、送信すべきＭＡ信号を構成するためにシンボル対リソース要素（ＲＥ）マッピング処理ブロック１３５に提供される。
【００４５】
シンボル対ＲＥマッピング１３５によって実行されるマッピングは、使用されているＭＡ方式に応じて、スパース（sparse）マッピング又は非スパースマッピングとすることができる。スパースマッピングは、異なるスパーシティ（sparsity）レベルを有するように設定できる。
【００４６】
また、複数のＵＥから受信した信号の復号を単純化するために、成分拡散行列及び／又は信号対ＲＥマッピングは、ＵＥ固有及び／又はレイヤ固有とすることができることに留意されたい。成分拡散行列１３０は、特定のＵＥ又はレイヤに対応する、所与の成分又は入力ストリームについての行列内の値、すなわち所与の列内の拡散シーケンスを利用することによってＵＥ固有の方法で実装することができる。ＲＥマッピング処理ブロック１３５は、特定のＵＥ又はレイヤに対応する特定のマッピングを利用することによって、ＵＥ固有の方法で実装することができる。
【００４７】
成分拡散行列１３０とシンボル対ＲＥマッピング処理ブロック１３５とを組み合わせることにより、拡張成分拡散行列を得ることができる。そのような組み合わされた拡張成分拡散行列はまた、行列の一部としてカバーコードを適用する可能性を許容し得る。カバーコードは一連の複素数である。カバーコードは、その要素が所与のアルファベットからランダムに選択されるか、又は構造化される擬似ランダムであり得る。いくつかの態様では、カバーコードの要素は単位振幅を有する。ＵＥ固有のカバーコードは、複数のＵＥによって同時に送信される信号の分離において更なる自由度を提供し、こうしてより良い受信を提供する。いくつかの実施形態では、カバーコードは成分固有の行列に適用され得る。
【００４８】
拡張成分拡散行列の例では、結果として得られる行列の行数は拡散率に対応する。
【００４９】
結果として得られる拡張成分拡散行列は、異なるタイプのＭＡ方式を区別する。行列はＭＡ方式のタイプを決定する。行列の選択は、要求されるキーパラメータインジケータ（ＫＰＩ（key parameter indicator））、アプリケーションシナリオ及びスペクトル効率（ＳＥ（spectral efficiency））要件のうちの少なくとも１つに基づいてもよい。
【００５０】
いくつかの実施形態では、シンボル対ＲＥマッピング１３５は、成分固有のマッピングを利用することができる。
【００５１】
図１Ｂは、図１Ａと同様であるが、コンステレーション再マッピング処理ブロック１２３ａ，１２３ｂ，・・・，１２３ｒを含むフレームワーク１５０の更なるバージョンを示す。電力／位相調整処理ブロック１２０ａ，１２０ｂ，・・・，１２０ｒは、フレームワーク１５０に含まれるが、依然としてフレームワーク１５０へのオプションの追加であるとみなされる。
【００５２】
図１Ａ又は図１Ｂの基本的なフレームワークから生じる異なる組合せの例は、以下の図２、図３、図４、図５、図６、図７、図８、図９、及び図１０を参照して説明するだろう。
【００５３】
開示されるフレームワークに基づいて、提案されるＭＡ方式は、多成分拡散又は単一成分拡散（線形拡散とも呼ばれる）として分類することができる。
【００５４】
いくつかの実施態様では、多成分拡散は、スパースコード多元接続（ＳＣＭＡ（Sparse Code Multiple Access））に見られるような任意成分拡散行列を使用することを含み得る。多成分拡散は、フレキシブルな成分固有スパーシティレベルを含み得る。いくつかの実施形態では、多成分拡散は、恒等成分拡散行列を使用することを含み得る。
【００５５】
いくつかの実施態様では、単一成分拡散は、レイヤ固有の拡散シーケンス及び／又はＵＥ固有の拡散シーケンス、或いはレイヤ固有のスパーシティパターン及び／又はＵＥ固有のスパーシティパターン、或いはそれらの組合せを使用することを含み得る。レイヤ固有の拡散シーケンス及び／又はＵＥ固有の拡散シーケンスは、要素が所与のアルファベットからランダムに選択される擬似ランダムな方法で規定されるか、又は何らかの基準に基づいて構造化された方法で規定され得る。
【００５６】
図１Ａ及び図１Ｂに示される信号処理動作の全てが、必ずしもフレームワークから展開される所与のＭＡ方式で必要とされるわけではないことを理解されたい。図１Ａ及び図１Ｂは、フレームワークに含まれる様々な信号処理動作の例を示すことを意図している。他の信号処理動作が排除されるものではない。
【００５７】
図２は、ＭＡ信号を生成するためのフレームワークから導かれる信号処理動作の特定の構成の第１の例２００である。この第１の例２００では、ビット対ｂ０，ｂ１が２つのサブストリーム２１０ａ，２１０ｂに分離され、個々のビットが２つの別々の２相位相変調（ＢＰＳＫ（Binary Phase Shift Keying））変調器２１５ａ，２１５ｂに提供される。各ＢＰＳＫ変調器２１５ａ，２１５ｂから出力される成分は、成分拡散行列２３０によって乗算される。成分を拡散するために使用される特定の成分拡散行列２３０は、
【数１】
2019530384.tif 000003
である。
【００５８】
２に等しい行列内の列数は、成分の数に等しい、すなわち各ＢＰＳＫ変調器からの成分の数に等しい。この場合に、列数は、成分の数と変調サイズにも対応する。
【００５９】
次に、成分拡散行列２３０の出力は、シンボル対ＲＥマッピング処理ブロック２３５に提供される。全プロセスは、ＳＣＭＡ４点、３投影コードブックを生成するために使用され得る。
【００６０】
成分拡散行列２３０をシンボル対ＲＥマッピング２３５と組み合わせて拡張成分拡散行列を生成する場合に、カバーコードに成分拡散行列を乗算することが可能である。カバーコードは、疑似ランダムであり得るか、又は所与のアルファベットで構造化し得る。
【００６１】
図３は、ＭＡ信号を生成するためのフレームワークから導かれる信号処理動作の特定の構成の別の例３００である。例３００では、ビットｂ０，ｂ１，ｂ２のセットが、複数のサブストリーム３１０ａ，３１０ｂ及び３１０ｃを形成するように分離され、各ビットは３つのＢＰＳＫ変調器３１５ａ，３１５ｂ，３１５ｃのうちの１つに提供される。ＢＰＳＫ変調器３１５ｂ及び３１５ｃのそれぞれから出力される成分は、電力調整ブロック３２０ｂ及び３２０ｃにそれぞれ提供される。ＢＰＳＫ変調器３１５ａ及び２つの電力調整ブロック３２０ｂ及び３２０ｃから出力される成分は成分拡散行列３３０によって乗算される。成分を拡散するために使用される特定の成分拡散行列３３０は、
【数２】
2019530384.tif 000004
である。
【００６２】
例３００では、電力調整処理ブロックを成分拡散行列に含めることも可能である。この場合に、成分拡散行列は、
【数３】
2019530384.tif 000005
或いは、等価的に、
【数４】
2019530384.tif 000006
となる。
【００６３】
理解されるように、第２及び第３の拡散成分の強さ（power）は２の係数によって増幅されるか、又は等価的に、第１の拡散成分の強さは２の係数によって低減される。
【００６４】
成分拡散行列３３０の列数は３に等しく、これは成分の数及び変調サイズに対応する。
【００６５】
次に、成分拡散行列３３０の出力は、シンボル対ＲＥマッピング処理ブロック３３５に提供される。全プロセスは、ＳＣＭＡ８点、４投影コードブックを生成するために使用され得る。行数は、コードブック内の非ゼロの要素の数が２に等しいことを示す。
【００６６】
図４は、ＭＡ信号を生成するためのフレームワークから導かれる信号処理動作の特定の構成の別の例４００である。例４００では、個々のビットｂ０が単一のストリーム４１０において単一の変調器４１５に提供される。これは、例えばＢＰＳＫ変調器又は直交振幅変調（ＱＡＭ（Quadrature Amplitude Modulation））変調器であり得る。変調器４１５から出力される成分は成分拡散行列４３０によって乗算される。成分を拡散するために使用される行列は従来の拡散シーケンス、例えばＣＤＭＡで使用されるタイプであり得る。線形拡散では、成分が１つしかないので、拡散は上述したように単一成分拡散と呼ぶことができる。次に、成分拡散行列４３０の出力は、シンボル対ＲＥマッピング処理ブロック４３５に提供される。
【００６７】
成分拡散行列は、単一列の行列、すなわちベクトルとして表すことができる。成分拡散行列４３０は、ＢＰＳＫ変調を仮定して表すこともできる。この場合に、列数は変調サイズに関連し、成分拡散行列の列は、
【数５】
2019530384.tif 000007
のように書くことができる。
ここで、
【数６】
2019530384.tif 000008
は拡散シーケンスを表し、（α１，・・・，αｒ）はＢＰＳＫシンボルからＱＡＭシンボルを生成するために使用されるスカラ数であり、下付きrの値は変調サイズに関連している。特定の実施形態では、変調が４相位相変調（ＱＰＳＫ（Quadrature
Phase Shift Keying））であるとき、成分拡散行列
【数７】
2019530384.tif 000009
は、
【数８】
2019530384.tif 000010
の２列の行列として表すことができる。
【００６８】
図５は、ＭＡ信号を生成するためのフレームワークから導かれる信号処理動作の特定の構成の更なる例５００である。例５００では、ビットｂ０，・・・，ｂｒのストリームが複数のサブストリーム５１０ａ，・・・，５１０ｒに分割され、各ビットが、別々の変調器（図５では、ＱＡＭ変調器５１５ａ，・・・，５１５ｒである）に提供される。ＱＡＭ変調器５１５ａ，・・・，５１５ｒのそれぞれから出力される成分は、成分拡散行列５３０によって乗算される。成分を拡散するために使用されている特定の行列は、恒等成分拡散行列Ｉｒｘｒである。次に、成分拡散行列５３０の出力は、シンボル対ＲＥマッピング処理ブロック５３５に提供される。
【００６９】
図６は、ＭＡ信号を生成するためのフレームワークから導かれる信号処理動作の特定の構成の別の例６００である。例６００では、ビットｂ０，ｂ１，ｂ２，ｂ３のセットが２つのサブストリーム６１０ａ，６１０ｂに分割され、次に各ビット対が２つの別々の変調器（図６では、４相位相変調（ＱＰＳＫ）変調器６１５ａ，６１５ｂである）のうちの１つに提供される。ＱＰＳＫ変調器６１５ａ及び６１５ｂのそれぞれから出力される成分は、位相回転処理ブロック６１８ａ及び６１８ｂにそれぞれ提供される。位相回転処理ブロック６１８ａ及び６１８ｂのそれぞれから出力される成分は、実及び虚分離処理ブロック６２５ａ及び６２５ｂにそれぞれ提供される。実及び虚分離処理ブロック６２５ａ及び６２５ｂのそれぞれから出力される成分の実部及び虚部は、成分拡散行列６３０によって乗算される。成分を拡散するために使用される特定の成分拡散行列６３０は、
【数９】
2019530384.tif 000011
である。
【００７０】
次に、成分拡散行列６３０の出力は、シンボル対ＲＥマッピング処理ブロック６３５に提供される。全プロセスは、１６点コンステレーションを表すために使用され得る。位相回転が４５°として選択された場合に、次にＳＣＭＡ１６点、９投影コードブックを生成することができる。
【００７１】
図７は、ＭＡ信号を生成するためのフレームワークから導かれる信号処理動作の特定の構成の別の例７００である。例７００では、８ビットｂ０，ｂ１，ｂ２，ｂ３，ｂ４，ｂ５，ｂ６，ｂ７のセットが、４ビットの２つのサブストリームに分割され、各サブストリームは、２つの別々の変調器（すなわち、１６点直交振幅変調（１６ＱＡＭ（16 point Quadrature Amplitude Modulation））変調器７１５ａ，７１５ｂ）のうちの１つにそれぞれ提供される。１６ＱＡＭ変調器７１５ａ及び７１５ｂのそれぞれから出力される成分は、位相回転処理ブロック７１８ａ及び７１８ｂにそれぞれ提供される。位相回転処理ブロック７１８ａ及び７１８ｂのそれぞれから出力される成分は、実及び虚分離処理ブロック７２５ａ及び７２５ｂにそれぞれ提供される。実及び虚分離処理ブロック７２５ａ及び７２５ｂのそれぞれから出力される成分の実部及び虚部は、成分拡散行列７３０によって乗算される。成分を拡散するために使用される特定の成分拡散行列７３０は、
【数１０】
2019530384.tif 000012
である。
【００７２】
次に、成分拡散行列７３０の出力は、シンボル対ＲＥマッピング処理ブロック７３５に提供される。全プロセスは、２５６点のコンステレーションを表すために使用され得る。位相回転が４５°として選択される場合に、ＳＣＭＡ２５６点、４９投影コードブックを生成することができる。
【００７３】
図８は、ＭＡ信号を生成するためのフレームワークから導かれる信号処理動作の特定の構成のさらに別の例８００である。例８００では、ビットｂ０，・・・，ｂｒのストリームが１ビットの複数のサブストリーム８１０ａ，・・・，８１０ｒに分割され、各ビットが別々の変調器（例８００では、ＱＡＭ変調器８１５ａ，・・・，８１５ｒである）に提供される。ＱＡＭ変調器８１５ａ，・・・，８１５ｒのそれぞれから出力される成分は、それぞれのコンステレーション対コンステレーションマッピングブロック８２３ａ，・・・，８２３ｒに提供される。コンステレーション対コンステレーションブロック８２３ａ，・・・，８２３ｒから出力される成分は、成分拡散行列８３０によって乗算される。次に、成分拡散行列８３０の出力は、シンボル対ＲＥマッピング処理ブロック８３５に提供される。各コンステレーション対コンステレーションマッピングブロックは、それぞれのＱＡＭ変調器から第２のコンステレーションマッピングへ出力される、第１のコンステレーションマッピングを有するＱＡＭシンボルをマッピングする。いくつかの実施態様では、第１及び第２のコンステレーションマッピングはコンステレーション内に同数の点を有するが、それらの点は異なるようにラベル付けされる。これは本質的にコンステレーションの再ラベル付けになる。他の実施態様では、第１及び第２のコンステレーションマッピングは、コンステレーション内に異なる数の点を有する。
【００７４】
図９は、１６ＱＡＭコンステレーション９００についての特定のグレイラベリングを示す。自然ラベル付けを含む他のラベリングも使用され得る。１６ＱＡＭコンステレーションは１６個の点を含み、各点は４ビットのセットによって規定される。図９は、１６個の点の同じ配置を有する２つの異なるコンステレーションマッピング９１０及び９２０を含むが、点のラベル付けが異なる。
【００７５】
図１０は、１６ＱＡＭコンステレーション１０００についての特定のグレイラベリングを示す。自然ラベル付けを含む他のラベリングも使用され得る。１６ＱＡＭコンステレーションは１６個の点を含み、各点は４ビットのシンボル値によって規定される。コンステレーション１０１０及び１０２０は、縮小サイズのコンステレーションへの再マッピングの例である。コンステレーション１０１０及び１０２０はそれぞれ９個の点を含み、各点は４ビットのシンボル値によって規定される。コンステレーション１０１０及び１０２０の４つのコンステレーション点はそれぞれの点について固有のシンボル値を有し、４つのコンステレーション点はそれぞれの点について２つのシンボル値を有し、１つのコンステレーション点はその点について４つのシンボル値を有する。コンステレーション１０１０及び１０２０は、同じサイズの縮小点コンステレーションを有するが、ラベル付けは２つのコンステレーションについて異なる。いくつかの態様では、再マッピングは、成分毎に異なるビット対シンボルのラベル付けをもたらし得る。
【００７６】
提案されるフレームワークを使用して、ＭＡ方式は、成分拡散行列及びシンボル対ＲＥマッピングによって、又はいくつかの実施形態では、上で導入した拡張成分拡散行列によって記述することができる。様々なＭＡ方式は、所望の性能に基づいて（キーパフォーマンスインジケータ（ＫＰＩ）等の１つ又は複数の性能関連パラメータに基づいて）、アプリケーションシナリオ（例えば、拡張モバイルブロードバンド（ｅＭＢＢ（enhanced Mobile BroadBand））、大規模マシンタイプ通信（ｍＭＴＣ（massive Machine-Type Communication））、超高信頼性低遅延通信（ＵＲＬＬＣ（Ultra Reliable Low Latency Communication））、トラフィック又は送信タイプ（低遅延又は遅延許容トラフィック）、許可ベース（つまり、許可あり）又は許可なし（つまり、前許可なし）送信（以下では一般に「アプリケーションシナリオ」と呼ばれる）に基づいて、及び／又はスペクトル効率等であるがこれらに限定されるものではない特定の（物理レイヤ）仕様又は要件に基づいて設定され得る。指定できる別のパラメータには、変調次数が含まれる。異なる成分に対して同じ変調器を使用する態様では、変調器の次数は、変調及び符号化方式（ＭＣＳ（modulation and coding scheme））及び成分の数によって黙示的に得ることができる。いくつかの実施形態では、変調器はＢＰＳＫ又はπ／２−ＢＰＳＫを使用することができ、成分拡散行列（又は拡張成分拡散行列）は変調器によって使用されている特定の変調に基づいて規定することができる。
【００７７】
いくつかの実施形態では、成分拡散行列はＵＥ固有でもあり得る。いくつかの実施形態では、シンボル対ＲＥマッピングパターン処理ブロックによって使用されるシンボル対ＲＥマッピングパターンは、ＵＥ固有又はレイヤ固有であり得る。いくつかの実施形態では、位相及び／又は振幅調整は、ａ）アプリケーションシナリオ、ｂ）ＭＡ送信のための物理レイヤ要件、ｃ）満たす（meeting）キーパフォーマンスインジケータ（ＫＰＩ）及びＵＥ  ｉｄ、及び／又はレイヤインデックスの１つ又は複数に基づいて決定することができる。
【００７８】
上で説明したのは、送信機及びＭＡ信号の生成に主に対応する特徴である。本開示の態様は、ＭＡ信号の受信及びそれらの信号をどの様に復号することができるかにも関する。
【００７９】
受信機がＭＡ信号を生成するために送信機によって使用される変調及び符号化方式（ＭＣＳ）、成分拡散行列、及びシンボル対ＲＥマッピング及び他の適切な信号処理方法を知ると、受信機はこの情報を使用して信号を復号することができる。いくつかの実施形態では、変調サイズは成分拡散行列から得ることができる。他の実施形態では、成分拡散行列は、スペクトル効率、アプリケーションタイプ及びＱｏＳ要件、チャネル品質指標（ＣＱＩ（channel quality indicator））、信号対雑音比（ＳＮＲ（signal
to noise ratio））測定値を含むがこれらに限定されるものではない、信号の物理レイヤ特性から取得又は選択され得る。送信機は、１つ又は複数の行列選択パラメータを使用して行列を選択することができる。いくつかの実施形態では、行列はネットワークによる明示的なシグナリングから取得することができる。いくつかの他の実施形態では、行列のプールは、行列インデックスとＵＥ  ｉｄとの間のマッピング規則、レイヤインデックス、及び（スペクトル効率、アプリケーションタイプ及びＱｏＳ要件、チャネル品質指標（ＣＱＩ）、信号対雑音比（ＳＮＲ）測定値を含む）他の行列選択パラメータとともに、物理レイヤ及び／又は上位レイヤシグナリングを通じて事前に生成され、ＵＥに伝達され得る。いくつかの他の実施形態では、拡散行列のプールを生成することは、成分拡散行列の構築に使用すべき複数の拡散シーケンスを生成することを含み得る。
【００８０】
ネットワーク側受信機によってＭＡ信号を生成するために送信機によって使用される成分拡散行列、シンボル対ＲＥマッピング処理ブロック及び他の関連する信号処理方法の知識は、黙示的であるか、又はＵＥから明示的なシグナリングよって受信される、或いはそれらの組合せであり得る。
【００８１】
いくつかの実施形態では、黙示的な知識は、送信信号のスペクトル効率、アプリケーションのタイプ及びＱｏＳ要件等の、信号の物理レイヤ特性に基づいてもよい。例えば、スペクトル効率と成分拡散行列との間に１対１のマッピングがあってもよい。
【００８２】
ＵＥがネットワーク側受信機に送信しているＵＬ状況では、ネットワーク側受信機は、ＵＥによって信号を生成するために使用された成分拡散行列及びシンボル対ＲＥマッピング及び他の適切な信号処理方法を知らないことがあり得る。いくつかの実施形態では、ＭＡ信号を生成するために送信機によって使用される成分拡散行列及び／又はシンボル対ＲＥマッピング及び他の適切な信号処理方法は、ＵＥ  ｉｄ及び／又はレイヤインデックスにマッピングされ得る。この場合に、ネットワーク側受信機がＵＥのＵＥインデックスの知識を有する場合に、この知識は、例えば潜在的な成分拡散行列及びシンボル対ＲＥマッピングのサーチ空間を減らすことによって、成分拡散行列及びシンボル対ＲＥマッピングを決定するために使用され得る。
【００８３】
潜在的な成分拡散行列及びシンボル対ＲＥマッピングが十分に少ない場合に、受信機によるブラインド検出も可能であり得る。
【００８４】
図１１は、ＭＡ信号の送信のための例示的な方法を説明するフローチャート１１００である。方法のステップは、１つ又は複数のＵＥに送信しているネットワーク側装置によって、又はネットワーク側受信機に送信している１つ又は複数のＵＥによって実行され得る。
【００８５】
ステップ１１１０は、送信装置が第１の変調タイプを使用して少なくとも１つの第１のビットストリームを変調して、少なくとも１つの第１のビットストリームのそれぞれのビットから少なくとも１つの第１の変調シンボルを生成することを含む。各第１のビットストリームは少なくとも１ビットを含む。
【００８６】
ステップ１１２０は、送信装置が、それぞれの第１のビットストリームに固有の拡散シーケンスを使用して少なくとも１つの第１の変調シンボルのそれぞれを拡散して、第２のセットの変調シンボルを生成することを含む。
【００８７】
ステップ１１３０は、送信装置がリソース要素マッピングを使用して第２のセットの変調シンボルの少なくとも１つの変調シンボルをマッピングし、そしてマッピングされたシンボルを加算／多重化してＭＡ信号を生成することを含む。
【００８８】
特にネットワーク側装置が複数のＵＥに信号を送信しているときのＤＬシナリオについて、又は複数の信号レイヤが送信されたときのアップリンクで実行され得るオプションのステップ１１３５は、ネットワーク側装置が、送信前に、別々のＵＥ又はレイヤのそれぞれに対して生成されたマッピングされた第２のセットの変調シンボルを多重化することを含む。
【００８９】
ステップ１１４０は、送信装置がマッピングされた第２のセットの変調シンボルをＭＡ信号として送信することを含む。
【００９０】
更なるオプションのステップ１１５０は、送信装置が、受信機がＭＡ信号を復号するのに役立ち得る情報のＭＡ信号を受信機に通知することを含み得る。これは、ＭＡ信号を復号するための変調タイプ、成分固有の拡散シーケンス、及びシンボル対リソース要素マッピングのうちの１つ又は複数を受信機に通知することを含み得る。
【００９１】
例示的な方法１１００は、例示を目的としている。図１１でオプションとして上記のフローチャートで特定されるステップは、本方法の所与の実施態様では実行されてもされなくてもよい。他の態様は、様々な方法のうちのいずれかで例示された動作を実行すること、より少ない又は追加の動作を実行すること、及び／又は動作が実行される順序を変えることを含み得る。他の変形形態は、本開示に基づいて当業者には明らかであり得るか又は明らかになり得る。
【００９２】
ＵＥは信号処理動作を選択することを担当し得るが、ＵＥは、ネットワーク側受信機から情報を受信し、受信した情報に基づいて信号処理動作を選択し得る。また、いくつかの実施形態では、ＵＥ毎に使用すべき信号処理動作は、ＵＥ  ｉｄに基づいて予め規定及び／又は予め設定される。ＵＥは特定タイプの信号のみを処理し得るので、ＵＥが信号動作の選択を担当することは意味がある。ネットワーク側受信機は、受信機のＵＥに関する知識に基づいて、異なるＵＥに信号処理動作の異なる選択を提案又は割り当てることができる。
【００９３】
ＵＬシナリオでは、ＵＥは、使用されているＭＡ信号のタイプ、すなわちＵＥによって信号を生成するのに使用される信号処理動作のタイプをネットワーク側受信機に知らせるためにネットワーク側受信機に信号を送ることもできる。
【００９４】
図１２は、ＭＡ信号を復号するための例示的な方法を示すフローチャート１２００である。方法のステップは、１つ又は複数のＵＥからＭＡ信号を受信しているネットワーク側装置によって、又はネットワーク側受信機から受信している１つ又は複数のＵＥによって実行され得る。
【００９５】
１２１０は、受信装置がＭＡ信号を受信することを含む。
【００９６】
ステップ１２２０は、受信装置が、ＭＡ信号を復号するためにＵＥによって信号を生成するために使用された変調タイプ、成分固有の拡散シーケンス、及びシンボル対リソース要素マッピング、及び他の適切な信号処理方法を含む変数の少なくとも１セットを決定することを含む。いくつかの実施形態では、この決定は、ＵＥ  ｉｄ、ブラインド検出、又はＵＥから受信したシグナリング、或いはそれらの組合せに基づいてもよい。
【００９７】
ステップ１２３０は、受信装置がＭＡ信号を復号することを含む。
【００９８】
図１３は、ＮｏＭＡ信号を生成するためのフレームワーク１００の一部であり得る信号処理動作の集まりの例を示す。信号処理動作は２つのカテゴリに分けることができる。カテゴリは、ＵＥ固有及び／又はレイヤ固有のビットレベル多重化動作１３０４と、ＵＥ固有及び／又はレイヤ固有のシンボルレベル多重化動作１３１６とがある。所与のＵＥによって送信される信号は、大抵の場合に単一のレイヤのみを含むが、単一のＵＥが複数のレイヤから生成された信号を送信する可能性があることを排除するわけではない。
【００９９】
ビットレベル多重化動作１３０４では、情報ビットを符号化ビットに変換するために、異なるＵＥ、又は同じＵＥの異なるレイヤによって異なる機能が使用される。次に、符号化ビットはシンボルレベル多重化動作１３１６に提供される。ビットレベル多重化を達成する１つの一般的な方法はビットレベルインターリーブ及び／又はスクランブルであるが、他のものも企図される。
【０１００】
シンボルレベル多重化動作１３１６では、ビットレベル動作から受信された符号化ビットを送信すべき出力シンボルに変換するために、異なるＵＥ、又は同じＵＥの異なるレイヤに対して異なる機能が使用される。シンボルレベルの多重化をもたらすことができる信号処理動作の様々な組合せがある。いくつかの組合せの例を、図１４Ａ、図１４Ｂ、図１５、図１６Ａ、図１６Ｂ、図１７、及び図１８を参照して以下で説明する。
【０１０１】
図１３では、情報ビット１３０１のストリームがビットレベル動作１３０４に提供される。ビットレベル動作１３０４は、前方誤り訂正（ＦＥＣ（forward error correction））符号化及びインターリーブ１３０２を実行する第１の信号処理動作を含む。第１の信号処理動作は、ビットレベルインターリーブ及び／又はスクランブル等であるがこれに限定されない、ＵＥ固有及び／又はレイヤ固有のＦＥＣ機能を規定することによってＦＥＣドメイン多重化を考慮することができる。
【０１０２】
ビットレベル動作１３０４からの符号化ビット１３０３の出力は、シンボルレベル動作１３１６に提供される。符号化ビット１３０３は、符号化ビット１３０３の変調１３０６を実行する第２の信号処理動作に提供される。変調１３０６は符号化ビットからシンボルを生成する。第２の信号処理動作は、多次元変調又はコンステレーションマッピング等の高度な変調を含み得る。コンステレーションマッピングは基本的に、第１のコンステレーションから得たＱＡＭシンボルを第２のコンステレーションから得た第２のシンボルにマッピングする。いくつかの実施態様では、第１及び第２のコンステレーションは同数の点を有するが、それらの点は異なるようにラベル付けされる。これは本質的にコンステレーションの再ラベル付けになる。他の実施態様では、第１及び第２のコンステレーションは異なる数の点を有する。第２の信号処理動作１３０６は、信号を送信するために使用されることになるトーンのセットに亘るコンステレーションマッピングを用いた一次元変調を含み得る。
【０１０３】
第２の信号処理動作の出力は、シンボルプリコーディング１３０８を実行する第３の信号処理動作に提供される。このタイプの信号処理動作は、送信信号のカバレッジを改善し得るピーク対平均電力比（ＰＡＰＲ（peak-to-average power ratio））の低減のために主に使用される。
【０１０４】
第３の信号処理動作の出力は、シンボルレベルインターリーブ１３１０を実行する（これはシンボルレベルシャッフルとも呼ばれ得る）第４の信号処理動作に提供される。第４の信号処理動作は、シンボルレベルでのインターリーバドメイン多重化をモデル化する。
【０１０５】
第４の信号処理動作の出力は、シンボルレベル拡散１３１２を実行する第５の信号処理動作に提供される。第５の信号処理動作は、コードドメイン多重化をモデル化する。コードドメイン多重化の例は、拡散シーケンスを適用することによる線形拡散を含むが、これに限定されるものではない。
【０１０６】
第５の信号処理動作の符号化ビットの出力は、シンボル対トーンマッピング又はシンボル対リソース要素（ＲＥ）マッピング１３１４を実行する第６の信号処理動作に提供される。この信号処理動作はパターンドメイン多重化をモデル化する。
【０１０７】
第６の信号処理動作の出力は送信のための出力シンボル１３１５である。
【０１０８】
いくつかの実施形態では、信号処理動作の順序は異なってもよい。例えば、シンボルプリコーディング１３０８は、シンボル対トーンマッピング１３１４の後であってもよく、又はシンボルレベルインターリーブは、シンボルレベル拡散の後であってもよい。
【０１０９】
図１に示される信号処理動作の全てが、フレームワークから展開された所与のＮｏＭＡ方式において必ずしも必要になるわけではないことを理解されたい。図１３は、フレームワークに含まれる様々な信号処理動作を示すことを意図している。他の信号処理動作が排除されるわけではない。
【０１１０】
図１４Ａは、ＮｏＭＡ信号を生成するためのフレームワークから導かれる信号処理動作の選択したセットの第１の例１４００である。この第１の例１４００では、選択される信号処理動作は、ＦＥＣ１４０２、変調１４０６、シンボルレベルインターリーブ１４１０、シンボルレベル拡散１４１２、及びシンボル対トーンマッピング１４１４である。この信号処理動作のセットは、スパースコード多元接続（ＳＣＭＡ（Sparse Code Multiple Access））の特定の実施態様に対応し得る。
【０１１１】
変調１４２０がどの様に実行されるかの代表的な例も図１４において変調ブロック１３０６の下に示されている。ブロック１４２０Ａ、１４２０Ｂ、１４２０Ｃ、及び１４２０Ｄはそれぞれ、送信すべきシンボルを表す。ブロック１４２０Ａ及び１４２０Ｂは一対の変調シンボルを表し、ブロック１４２０Ｃ及び１４２０Ｄはブロック１４２０Ａ及び１４２０Ｂの一対の変調シンボルの複製バージョンを表す。４つのブロックは変調１４０６の信号処理動作によって結合される。
【０１１２】
シンボルレベルインターリーブ１４１０の信号処理動作は、４つのブロック内のシンボルを１４２０Ａ、１４２０Ｂ、１４２０Ｃ、及び１４２０Ｄのブロック配置から１４２２Ａ、１４２２Ｃ、１４２２Ｂ、及び１４２２Ｄのブロック配置にシャッフルする。
【０１１３】
シンボルレベル拡散１４１２は、［１  ０］に等しい拡散シグネチャを適用する。この拡散シグネチャの結果として、ブロック１４２０Ａ、１４２０Ｂ内のシンボルは維持され、ブロック１４２０Ｃ及び１４２０Ｄ内のシンボルは除去され、それらの位置は空のままになる。図１４Ａは特定の拡散シグネチャを使用しているが、これは限定を意図するものではなく、他のシグネチャも企図される。
【０１１４】
シンボル対トーンマッピング１４５０の信号処理動作は、ブロック１４２０Ａ及び１４２０Ｂのシンボルと２つの空の位置との１対１のマッピングを、送信のために利用可能なサブキャリアに適用する。
【０１１５】
図１４Ｂは、ＮｏＭＡ信号を生成するためのフレームワークから導かれる信号処理動作のセットの選択の第２の例１４４０である。例１４４０では、選択され組み合わされる信号処理動作は、ＦＥＣ１４４２、変調１４４６、及びシンボル対トーンマッピング１４５４である。この実施態様では、シンボル対トーンマッピングは、レイヤ固有及び／又はＵＥ固有のサブキャリアマッピングによって実現され得る。いくつかの実施形態では、変調１４４６において、レイヤ固有及び／又はＵＥ固有の位相回転等であるがこれらに限定されるものではない、レイヤ固有及び／又はＵＥ固有の変調を規定することが可能である。この信号処理動作のセットは、スパースコード多元接続（ＳＣＭＡ）の特定の実施態様に対応し得る。
【０１１６】
図１５は、ＮｏＭＡ信号を生成するためのフレームワークから導かれる信号処理動作のセットの選択の第３の例１５００である。例１５００では、選択され組み合わされる信号処理動作は、ＦＥＣ１５０２、変調１５０６、シンボルレベルインターリーブ１５１０、シンボルレベル拡散１５１２、及びシンボル対トーンマッピング１５１４である。
【０１１７】
変調１５０６及びシンボルレベルインターリーブ１５１０がどの様に実行されるかの代表的な例が図１５に示されている。図１４Ａで変調及びインターリーブが実行される方法と同様に、図１５のブロック１５２０Ａ、１５２０Ｂ、１５２０Ｃ、及び１５２０Ｄは、変調１５０６の信号処理動作によって結合され、シンボルレベルインターリーブ１５１０の信号処理動作によってシャッフルされる。
【０１１８】
例１５００では、シンボルレベル拡散１５１２の信号処理動作は、多次元拡散に加えて線形拡散を可能にする。これは、一般的な拡散シーケンスを多次元信号の上に適用することによって行ってもよい。これは、上記の例１４００のシグネチャ［１  ０］等の、一意の拡散署名を使用するのとは異なる。図１５に見られるように、４つのブロックの各々がそれぞれのシンボルを有するので、送信信号はまばらに拡散していなくてもよい。シンボル対トーンマッピング１５１４の信号処理動作は、１対１マッピングを送信のために利用可能な副搬送波に適用する。
【０１１９】
図１６Ａは、ＮｏＭＡ信号を生成するためのフレームワークから導かれる信号処理動作のセットの選択の第４の例１６００である。例１６００では、選択され組み合わされる信号処理動作は、ＦＥＣ１６０２、直交振幅変調（ＱＡＭ（Quadrature Amplitude Modulation））変調１６０６、シンボルレベルインターリーブ１６１０、シンボルレベル拡散１６１２、及びシンボル対トーンマッピング１６１４であり、ここで、マッピングは、１対１マッピングである。
【０１２０】
ＱＡＭ変調１６２０の信号処理動作がどの様に実行されるかの代表的な例が図１６Ａに示されている。ブロック１６２０Ａ、１６２０Ｂ、１６２０Ｃ、及び１６２０Ｄは、図１６Ａの変調１６０６及びシンボルレベルインターリーブ１６１０と同様に、ＱＡＭ変調１６０６によって結合され、シンボルレベルインターリーブ１６１０によってシャッフルされる。
【０１２１】
シンボルレベル拡散１６１２は、［１  ０］に等しい拡散シグネチャを適用する。これにより、ブロック１６２０Ａ、１６２０Ｂ内のシンボルは維持され、ブロック１６２０Ｃ、１６２０Ｄ内にあったシンボルは除去され、それらの位置は空のままになる。
【０１２２】
シンボル対トーンマッピング１６１４は、ブロック４２０Ａ、４２０Ｂと空き位置との１対１マッピングを、送信のために利用可能な副搬送波に適用する。
【０１２３】
図１６Ｂは、ＮｏＭＡ信号を生成するためのフレームワークから導かれる信号処理動作のセットの選択の第５の例１６４０である。例１６４０では、選択され組み合わされる信号処理動作は、ＦＥＣ１６４２、ＱＡＭ変調１６４６、シンボルレベルインターリーブ１６５０、及びレイヤ固有のシンボル対トーンマッピング１６５４である。この実施態様では、パターンドメイン多重化が、レイヤ固有のサブキャリアマッピングによって実現され得る。
【０１２４】
図１７は、ＮｏＭＡ信号を生成するためのフレームワークから導かれる信号処理動作のセットの選択の第６の例１７００である。例１７００では、選択され組み合わされる信号処理動作は、ＦＥＣ１７０２、ＱＡＭ変調１７０６、シンボルレベル拡散１７１２、及びシンボル対トーンマッピング１７１４である。この実施態様では、シンボルドメインインターリーブは利用されない。拡散シーケンスは予め規定されたものでも擬似ランダムでもよく、拡散シーケンスは既知のアルファベットのシンボルから得ることができる。シンボル対トーンマッピングは拡散シンボルを利用可能な全てのトーンにマッピングする。パターン多重化はない。
【０１２５】
図１８は、ＮｏＭＡ信号を生成するためのフレームワークから導かれる信号処理動作のセットの選択の第７の例１８００である。例１８００では、選択され組み合わされる信号処理動作は、ＦＥＣ１８０２、ＱＡＭ変調１８０６、シンボルレベル拡散１８１２、及びシンボル対トーンマッピング１８１４である。この実施態様では、シンボルドメインインターリーブはない。拡散シーケンスは予め規定されたものでも擬似ランダムでもよく、拡散シーケンスは既知のアルファベットのシンボルから得ることができる。シグネチャは異なるスパーシティレベルを有することができる。シンボル対トーンマッピング１８１２は、シンボル拡散が規定される方法に応じてレイヤ固有及び／又はＵＥ固有であり得る。シンボルレベル拡散が非ゼロブロックでのみ規定される場合に、次に、シンボル対トーンマッピングは、レイヤ固有及び／又はＵＥ固有でもあり得る。
【０１２６】
図１９は、ＮｏＭＡ信号を生成する際にフレームワークの信号処理動作を使用するためにどの様に設定することができるかの一例であるフローチャート１９００である。ブロック１９０５は、高い接続密度が必要かどうか、すなわち受信機が潜在的に多数の同時信号送信を復号しなければならないかどうかを決定するための決定点である。いいえの場合に、別の決定点ブロック１９１０がある。決定ブロック１９１０で判断される決定は、ＮｏＭＡ信号が高いスペクトル効率を有することになっているかどうかである。はいの場合に、ブロック１９１５は、多次元拡散、レイヤ固有及び／又はＵＥ固有のビットレベルインターリーブ、並びにレイヤ固有及び／又はＵＥ固有のシンボルレベルインターリーブのうちの１つ又は複数を使用することによって信号処理動作を設定することを含む。いいえの場合に、ブロック１９２０は、所定のデフォルトのＮｏＭＡ方式を使用することによって信号処理動作を設定することを含む。
【０１２７】
決定ブロック１９０５の結果がはいである場合に、次に、ブロック１９２５は、信号処理動作を設定することが、レイヤ固有及び／又はＵＥ固有のスパースシンボル対トーンマッピングを含む部分的なコリジョン（collision）多元接続方式を使用することを含み得ることを示す。ブロック１９３０は、ＮｏＭＡ信号が高いカバレッジエリア又は高いスペクトル効率を有することになるか、或いはそのどちらでもないかを決定するための決定点である。どちらでもない場合に、ブロック１９２０は、所定のデフォルトのＮｏＭＡ方式を使用することによって信号処理動作を設定することを含む。信号が高カバレッジエリアを有することになる場合に、ブロック１９４０は、低ＰＡＰＲ変調又はコードブック、低ＰＡＰＲスパースパターン、長い拡散シーケンス、及びシンボルプリコーディングのうちの少なくとも１つを使用することによって信号処理動作を設定することを含む。信号が高いスペクトル効率を有することになる場合に、ブロック１９４５は、線形拡散の代わりに、多次元拡散、レイヤ固有及び／又はＵＥ固有のビットレベルインターリーブ並びにレイヤ固有及び／又はＵＥ固有のシンボルレベルインターリーブのうちの１つ又は複数を使用することによって信号処理動作を設定することを含む。
【０１２８】
上述した例示的なフレームワークは、ＵＬ  ＮｏＭＡに関して説明しており、フレームワークは、ネットワーク側受信機と通信している１つ又は複数のＵＥによって利用されると考えられる。各ＵＥは、ＵＥがＵＥのそれぞれのアプリケーションに最良であると判断した様々な信号処理動作を選択することができる。ＵＥは、ａ）ネットワークによってＵＥに課される要件、ｂ）ＵＥによって確立された要件、ｃ）ＵＥによって行われたＵＥ環境を規定する測定値、及びｄ）ＵＥ  ｉｄ又はレイヤインデックスのうちの１つ又は複数に基づいて、信号処理動作を決定することができる。
【０１２９】
ＵＥは、ＵＥによって行われている決定に関連する可能性がある情報をネットワークから受信することができる。例えば、ネットワークは、受信機が高密度領域にあるかどうかをＵＥに示して、ＵＥがどの信号処理動作を選択するかに関する適切な決定を下すことを可能にし得る。そのような情報は、ネットワークによって上位レイヤメッセージで送信してもよい。所与の領域内の信号密度等の物理的条件は、時間が経っても急激には変化しない可能性があるため、更新頻度が少ない可能性がある。
【０１３０】
信号処理動作を設定することは、全拡散又は部分拡散のために拡散シグネチャを設定すること；ＱＡＭ、ＰＳＫ、多次元変調等であるがこれらに限定されるものではない、使用すべき変調のタイプを選択すること；又はプリコーディングを使用すべきかどうかを選択すること；を含み得る。
【０１３１】
ＵＥは、信号処理動作を選択することを担当し得るが、ＵＥは、ネットワーク側受信機から情報を受信し、受信した情報に基づいて信号処理動作を選択し得る。ネットワーク側受信機は、受信機のＵＥの知識に基づいて、異なるＵＥに対して異なる選択を提案又は割り当てることができる。
【０１３２】
ＵＥは、使用されているＮｏＭＡ信号のタイプ、すなわち信号を生成するために使用している信号処理動作のタイプを受信機に知らせるために受信機に信号を送ることもできる。
【０１３３】
受信機は、所与の信号に最も適した様々なタイプの復号方法を使用することが可能であり得る。例えば、受信機は、最大尤度（ＭＬ（maximum likelihood））、メッセージパッシングアルゴリズム（ＭＰＡ（message
passing algorithm））、及び逐次干渉除去（ＳＩＣ（successive
interference cancellation））等の復号方法を使用することが可能であり得る。いくつかの実施形態では、受信機は、受信機がＵＥについて有する知識、及びＵＥが動作している環境、及びアプリケーションシナリオに基づいて、信号を復号するための最良の復号方法を選択することができる。ＵＥが動作している環境は、スペクトル効率、カバレッジ、ピーク対平均電力比（ＰＡＰＲ）、及びシステム接続性等の物理レイヤ要件を指し得る。いくつかの実施形態では、受信機は、ＵＥが送信のために選択したＮｏＭＡ方式のタイプを識別する、ＵＥから受信した情報に基づいて信号を復号するための最良の復号方法を選択することができる。
【０１３４】
図２０は、ＮｏＭＡ信号を生成するためのフレームワーク１００の一部であり得る信号処理動作の集まりの例を示し、これは、ＦＥＣ２００２、ビットレベルインターリーバ／スクランブラ２００４、変調シンボルシーケンス生成器２００６、シンボルシーケンスプリコーダ２００８、シンボル対ＲＥマッピング２０１０、及び波形変調器２０１２として機能するためのユニットを含む。
【０１３５】
ステップ１：情報ビット２００１のストリームが、前方誤り訂正（ＦＥＣ）符号化２００２を実行するために提供される。ＦＥＣモジュール内では、情報ビットはＦＥＣチャネルコードで処理される。一例は、符号化されたＫ個の情報ビットのブロックであり、Ｎ個の符号化ビットが生成され、そしてＮ＞Ｋである。
【０１３６】
ステップ２：次に、符号化ビットは、ビットレベルインターリーブ／スクランブル処理のためにビットレベルインターリーバ／スクランブラ２１０４に提供される。ビットレベルインターリーバ／スクランブラ２１０４では、符号化ビットがインターリーブ又はスクランブルされ、インターリーブ／スクランブルされたビットが生成される。ビットレベルインターリーバ／スクランブラは、ＵＥ固有（すなわち、各ＵＥが固有のインターリーバ／スクランブラを有する）、レイヤ固有、又はセル固有（すなわち、各セル内のＵＥが固有のインターリーバ／スクランブラを適用する）であり得る。
【０１３７】
ステップ３：ビットレベルインターリーバ／スクランブラ２００４からの符号化ビットの出力は、変調シンボルレベルシーケンス生成器２００６に提供される。変調シンボルレベルシーケンス生成器２００６は、符号化ビットからシンボルを生成する。変調シンボルシーケンス生成器２００６では、インターリーブ／スクランブルされたビットは、追加のシンボルレベル拡散動作を用いて、又は用いずに、変調シンボルにマッピングされる。ビット対シンボルマッピングは、１つ又は複数のビット対１つ又は複数のビットとすることができる。シンボルレベル拡散は、１つ又は複数の段階を含み得る拡散コードをシンボルに乗算することであり、拡散コードの長さは各段階で異なり得る。
【０１３８】
ステップ４（オプション）：変調シンボルレベルシーケンス生成器１０６の出力は、シンボルプリコーディング２００８を実行するシンボルシーケンスプリコーダ２００８に提供される。変調シンボルシーケンスは、シンボルシーケンスプリコーダ２００８に適用され得る。これは、主に、送信信号のＰＡＰＲを低減するためであり、送信信号のカバレッジを改善する可能性がある。ＯＦＤＭ波形の場合に、ＤＦＴプリコーディングを使用してもよい。
【０１３９】
ステップ５：シンボルシーケンスプリコーダ２００８の出力は、シンボル対リソース要素（ＲＥ）マッピング２０１０に提供される。変調シンボルは、追加のシンボルレベルインターリーブ／スクランブルを用いて、又は用いずに、送信のためのリソース要素にマッピングされる。シンボルレベルインターリーバ／スクランブラは、ＵＥ固有（すなわち、各ＵＥがシンボルレベル固有のインターリーバ／スクランブラを有する）、レイヤ固有、又はセル固有（すなわち、各セル内のＵＥがシンボルレベル固有のインターリーバ／スクランブラを適用する）であり得る。
【０１４０】
信号処理動作の順序を変更することができ、シンボル対ＲＥマッピングの後に例えばシンボルシーケンスプリコーダを置くことができることにも留意されたい。
【０１４１】
ステップ６：波形変調器：シンボルを生成し、それらをＲＥにマッピングした後に、波形生成ブロックは、地上波（over the air）で送信すべき実際の信号を生成する。
【０１４２】
図２１は、ＵＥ／セル固有のビットレベルインターリーバ／スクランブラが使用され得るフレームワークにおいて使用されるビットレベルインターリーバ／スクランブラブロックについての異なる態様を示す。インターリーバはビットの順序を変更するために適用され、ビットの順序はインターリーバパターンと呼ぶことができる。符号化ビットはスクランブラを用いてスクランブルすることもできる。スクランブラは、スクランブルシーケンスを用いて符号化ビットに対して排他的論理和（ＸＯＲ（exclusive or））演算を行うために適用される。ここでは、インターリーバ、又はスクランブラ、或いはその両方の組合せを適用できる。両方を適用する場合には、どちらを先に適用してもよい。インターリーバパターン及びスクランブルシーケンスは、ＵＥ固有、レイヤ固有、又はセル固有であり得、それは、ＵＥ、レイヤ、又はセルＩＤ、或いはそれらの一部又は全部の組合せに依存することを意味する。以下の各場合は、図２０のビットレベルインターリーバ／スクランブラ２００４の開示の態様として理解することができる。
【０１４３】
図２１にケース１として示されている本開示の一態様では、ＵＥ固有のビットインターリーブが使用される。符号化ビットは、ＵＥ固有のビットインターリーバを用いてインターリーブされ、ＵＥは異なるインターリーバを有することができる。一実施形態では、符号化ビットはレイヤ固有のビットインターリーバを用いてインターリーブされ、異なるレイヤは異なるインターリーバを有することができる。
【０１４４】
図２１にケース２として示されている本開示の一態様では、ＵＥ固有のビットスクランブルが使用される。符号化ビットは、ＵＥ固有のスクランブラを用いてスクランブルされ、ＵＥは異なるスクランブラを有することができる。一実施形態では、符号化ビットは、レイヤ固有のスクランブラを用いてスクランブルされ、異なるレイヤは異なるスクランブラを有することができる。
【０１４５】
図２１にケース３として示されている本開示の一態様では、ＵＥ固有のビットインターリーブ又はレイヤ固有のビットインターリーブ及びセル固有のビットスクランブルが使用される。符号化ビットは、最初にＵＥ固有のインターリーバ又はレイヤ固有のインターリーバを用いてインターリーブされ、次にセル固有のスクランブラを用いてスクランブルされ、又は他の順序でもよい。「セル固有」という用語は、ネットワーク固有のもの、又は基地局毎のカバレッジ固有のものとして理解され得る。
【０１４６】
図２１にケース４として示されている本開示の一態様では、ＵＥ固有のビットスクランブル又はレイヤ固有のビットスクランブル及びセル固有のビットインターリーブが使用される。符号化ビットは、最初にＵＥ固有のスクランブラ又はレイヤ固有のスクランブラを用いてスクランブルされ、次にセル固有のインターリーバを用いてインターリーブされる。繰返しになるが、スクランブルとインターリーブの順序は変わる可能性がある。
【０１４７】
図２１にケース５として示されている本開示の一態様では、インターリーブ動作もスクランブル動作も適用されない。言い換えれば、ケース５では、図２０のビットレベルインターリーバ／スクランブラ２００４は、オプションである。
【０１４８】
図２２は、フレームワークで使用される変調シンボルレベルシーケンス生成ブロックについての異なる態様を示す。いくつかの実施形態では、インターリーブ／スクランブルされたビットは変調シンボルにマッピングされる。ビット対シンボルマッピングは、ビットストリーム（又は単一のビット）を単一のシンボルにマッピングするために使用されるのと同じマッピング機能に基づくことができる。マッピングは、ＱＡＭ変調又は非ＱＡＭ変調であり得る。いくつかの他の実施形態では、ビット対シンボルマッピングは、ビットのストリームを複数のシンボルにマッピングするために使用されるのと同じマッピング機能に基づくことができる。マッピングは多次元変調であり得る。
【０１４９】
いくつかの他の実施形態では、インターリーブ／スクランブルされた各ストリームは、ＱＡＭ変調器、ＢＰＳＫ変調、及び／又はπ／２−ＢＰＳＫ変調を使用して生成され得るシンボルにマッピングされる。次に、このシンボルは、変調シンボル毎に元のコンステレーションの点を他のいくつかの点にマッピングするコンステレーションマッピングによって複数の変調シンボルにマッピングされる。いくつかの他の方式では、マッピングされたコンステレーション点は同じであるが、ビット対コンステレーションラベル付けは変調シンボル毎に異なる。
【０１５０】
ビット対シンボルマッピングの上記方法のいずれもがＵＥ固有及び／又はレイヤ固有とすることが可能であり、これは同じＵＥによって送信される異なるＵＥ又は異なるレイヤが異なる方法のビット対シンボルマッピングを適用することを意味する。ビット対シンボルマッピングの上記方法のいずれもセル固有であり得、これは各セル内のＵＥが同じ方法のビット対シンボルマッピングを適用するが、異なるセル内のＵＥが異なる方法のビット対シンボルマッピングを適用することを意味する。
【０１５１】
図２２にケース１として示されている本開示の一態様では、変調シンボルレベルシーケンス生成は、入力ビットの各ストリームをＱＡＭシンボルにマッピングするためのＱＡＭ変調を含む。いくつかの実施形態では、ＢＰＳＫ変調及び／又はπ／２−ＢＰＳＫ変調をＱＡＭ変調として使用することができる。
【０１５２】
図２２にケース２として示されている本開示の一態様では、変調シンボルレベルシーケンス生成は、入力ビットの各ストリームを非ＱＡＭシンボルにマッピングするための非ＱＡＭ変調を含む。
【０１５３】
図２２にケース３として示されている本開示の一態様では、変調シンボルレベルシーケンス生成は、長さＬの多次元変調によって入力ビットの各ストリームをＬ個のシンボルにマッピングすることを含む。
【０１５４】
図２２にケース４として示されている本開示の一態様では、変調シンボルレベルシーケンス生成は、シンボル毎のＱＡＭ変調とそれに続くコンステレーションマッピングによって、第２の変調シンボルを生成することを含む。この場合に、マッピングされたコンステレーション点は元のＱＡＭコンステレーションと同じであるが、ビット対コンステレーションラベル付けは第２の変調シンボル毎に異なる。
【０１５５】
いくつかの方式では、インターリーブ／スクランブルされたビットのストリームが変調シンボルにマッピングされた後に、各変調シンボルを拡散コードに乗算することによってシンボルレベル拡散が行われる。同じ拡散コードを変調シンボル毎に使用することができ、従って、拡散はベクトル乗算によってモデル化することができる。行数は、拡散率又は拡散ブロック内の非ゼロ要素の数を示し得る。
【０１５６】
いくつかの方式では、インターリーブ／スクランブルされたビットは変調シンボルにマッピングされる。ビット対シンボルマッピングは、ビットのストリーム（又は単一のビット）を単一のシンボルにマッピングするのに使用されるのと同じマッピング機能に基づくことができる。ビット対シンボルマッピングは、ＵＥ固有、レイヤ固有、セル固有でＵＥ固有、レイヤ固有、セル固有、又はそれらの組合せとすることができる。
【０１５７】
いくつかの方式では、インターリーブ／スクランブルされたビットは変調シンボルにマッピングされる。ビット対シンボルマッピングは、ビットのストリームを複数のシンボルにマッピングするのに使用されるのと同じマッピング機能に基づくことができる。ビット対シンボルマッピングは、ＵＥ固有、レイヤ固有、セル固有、又はそれらの組合せとすることができる。
【０１５８】
いくつかの方式では、インターリーブ／スクランブルされた各ストリームは、ＱＡＭ変調器、ＢＰＳＫ変調、及び／又はπ／２−ＢＰＳＫ変調を使用して生成され得るシンボルにマッピングされる。次に、このシンボルは、変調シンボル毎に元のコンステレーションの点を他のいくつかの点にマッピングするコンステレーションマッピングによって複数の変調シンボルにマッピングされる。いくつかの他の方式では、マッピングされたコンステレーション点は同じであるが、ビット対コンステレーションラベル付けは変調シンボル毎に異なる。コンステレーションマッピングプロセスは、シンボル固有、ＵＥ固有、レイヤ固有、セル固有、又はそれらの組合せであり得る。
【０１５９】
図２３は、フレームワークにおいて使用される変調シンボルレベルシーケンス生成ブロックについての異なる態様を示す。いくつかの実施形態では、インターリーブ／スクランブルされたビットのストリームを変調シンボルにマッピングした後に、１つ又は複数のレベルのシンボルレベル拡散を適用することができる。例えば、２つのシンボルレベル拡散がある場合に、変調シンボルは第１の段階で第１の拡散コードと乗算され、生成された拡散シンボルは第２の拡散コードを使用して再び拡散され得る。第１の拡散コード及び第２の拡散コードは異なる長さを有してもよい。段階毎に使用される拡散コードは、シンボル固有、ＵＥ固有、レイヤ固有、セル固有、又はそれらの組合せとすることができる。
【０１６０】
いくつかの他の実施形態では、インターリーブ／スクランブルされたビットのストリームのマッピングが変調シンボルにマッピングされた後に、各変調シンボルを拡散コードに乗算することによってシンボルレベル拡散が行われる。各変調シンボルを拡散するために使用される拡散コードは異なり得る。いくつかの実施形態では、拡散は行列乗算によってモデル化することができる。列数は変調次数又は変調シンボルの数を示し、行数は拡散率又は拡散ブロック内の非ゼロ要素の数を示し得る。拡散行列は、シンボル固有、ＵＥ固有、レイヤ固有、セル固有、又はそれらの組合せとすることができる。
【０１６１】
いくつかの他の実施形態では、インターリーブ／スクランブルされたビットのストリームのマッピングが変調シンボルにマッピングされた後に、各変調シンボルを拡散コードに乗算することによってシンボルレベル拡散が行われる。変調シンボル毎に同じ拡散コードを使用することができる。いくつかの実施形態では、拡散はベクトル乗算によってモデル化することができる。行数は、拡散率又は拡散ブロック内の非ゼロ要素の数を示し得る。拡散コードは、シンボル固有、ＵＥ固有、レイヤ固有、セル固有、又はそれらの組合せとすることができる。
【０１６２】
図２３にケース６として示されている本開示の一態様では、変調シンボルレベルシーケンス生成は、入力ビットの各ストリームをＱＡＭ及び／又はＢＰＳＫシンボルにマッピングＱＡＭ変調、ＢＰＳＫ変調及び／又はπ／２−ＢＰＳＫ変調によって、続いて長さＬ１を有する第１のシンボルレベル拡散によって実行され、第１の変調シンボルシーケンスを生成する。
【０１６３】
ケース６に示されているいくつかの他の態様では、第１の変調シンボルシーケンスは、長さＬ２を有する第２のシンボルレベル拡散を使用してさらに拡散される。
【０１６４】
図２３にケース７として示されている本開示の一態様では、変調シンボルレベルシーケンス生成は、入力ビットの各ストリームを入力ビットの各ストリームにＬ個のシンボルにマッピングするための長さＬの多次元変調によって、続いてサイズＬ×Ｌ１（Ｌ１＞＝Ｌ）を有する第１の行列拡散によって実行され、第１の変調シンボルシーケンスを生成する。
【０１６５】
ケース７に示されているいくつかの他の態様では、第１の変調シンボルシーケンスは、長さＬ２を有する第２のシンボルレベル拡散を使用してさらに拡散される。
【０１６６】
図２３にケース８として示されている本開示の一態様では、変調シンボルレベルシーケンス生成は、シンボル毎のＱＡＭ変調、ＢＰＳＫ変調、及び／又はπ／２−ＢＰＳＫ変調によって、続いてシンボルをサイズＬのグループにグループ化することによって実行される。次に、シンボルグループは、サイズＬ×Ｎ（Ｎ＞＝Ｌ）の行列拡散によって乗算され、ここで、Ｎは拡散長を表す。
【０１６７】
図２３にケース９として示されている本開示の一態様では、変調シンボルレベルシーケンス生成は、入力ビットの各ストリームをＬ個のシンボルにマッピングするための長さＬの多次元変調によって、続いてサイズＬ×Ｎ（Ｎ＞＝Ｌ、ここでＮは拡散長を表す）の行列拡散によって実行される。
【０１６８】
図２３にケース１０として示されている本開示の一態様では、変調シンボルレベルシーケンス生成は、入力ビットの各ストリームをＱＡＭ及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するベクトルシーケンス拡散によって実行される。
【０１６９】
図２３にケース１１として示されている本開示の一態様では、変調シンボルレベルシーケンス生成は、入力ビットの各ストリームをＬ個のシンボルにマッピングするための長さＬの多次元変調によって、続いて長さＮ（Ｎ＞＝１）を有するベクトルシーケンス拡散によって実行される。
【０１７０】
図２４は、フレームワークにおいて使用される変調シンボルレベルシーケンス生成ブロックについての異なる態様を示す。いくつかの実施形態では、拡散の有無にかかわらず、変調シンボルは、より良い干渉ランダム化のためにシンボルレベルインターリーバを通過することができる。シンボルレベルインターリーバの役割は、インターリーバパターンと呼ばれることがあるシンボルの順序を変更することである。拡散の有無にかかわらず、変調シンボルは、より良い干渉ランダム化のためにシンボルレベルスクランブラを通過することができる。スクランブラは、スクランブルシーケンスでシンボルを多重化することができる。インターリーバパターン及びスクランブルシーケンスは、ＵＥ固有、レイヤ固有、セル固有、又はそれらの組合せであり得る。
【０１７１】
図２４にケース１２として示されている本開示の一態様では、変調シンボルレベルシーケンス生成は、入力ビットの各ストリームをＱＡＭシンボル及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するベクトルシーケンス拡散によって実行される。次に、シンボルレベルインターリーブも出力された変調シンボルシーケンスに適用され得る。
【０１７２】
図２４にケース１３として示されている本開示の一態様では、変調シンボルレベルシーケンス生成は、入力ビットの各ストリームをＬ個のシンボルにマッピングするための長さＬの多次元変調によって、続いてシンボルレベルインターリーブによって実行される。
【０１７３】
図２４にケース１４として示されている本開示の一態様では、変調シンボルレベルシーケンス生成は、入力ビットの各ストリームをＱＡＭ及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するベクトルシーケンス拡散によって実行される。次に、シンボルレベルスクランブルも出力された変調シンボルシーケンスに適用され得る。
【０１７４】
図２４にケース１５として示されている本開示の一態様では、変調シンボルレベルシーケンス生成は、入力ビットの各ストリームをＬ個のシンボルにマッピングするための長さＬの多次元変調によって、続いてシンボルレベルスクランブルによって実行される。
【０１７５】
図２５は、フレームワークにおいて使用される変調シンボルレベルシーケンス生成ブロックについての異なる態様を示す。
【０１７６】
図２５にケース１として示されている本開示の一態様では、変調シンボルレベルシーケンス生成は、入力ビットの各ストリームをＱＡＭ及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散によって実行される。
【０１７７】
図２５にケース２として示されている本開示の一態様では、変調シンボルレベルシーケンス生成は、入力ビットの各ストリームをシンボルにマッピングするための非ＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散によって実行される。
【０１７８】
図２５にケース３として示されている本開示の一態様では、変調シンボルレベルシーケンス生成は、入力ビットの各ストリームをＬ個のシンボルにマッピングするための長さＬの多次元変調によって、続いてサイズＬ×Ｎ（Ｎ＞＝１、ここでＮは拡散長を表す）を有するＵＥ固有の行列拡散によって実行される。
【０１７９】
図２５にケース４として示されている本開示の一態様では、変調シンボルレベルシーケンス生成は、シンボル毎のＱＡＭ変調、ＢＰＳＫ変調、及び／又はπ／２−ＢＰＳＫ変調によって、続いてシンボルをサイズＬのグループにグループ化することによって実行される。次に、シンボルグループは、サイズＬ×Ｎ（Ｎ＞＝Ｌ、ここで、Ｎは拡散長を表す）を有するＵＥ固有の行列拡散によって乗算される。
【０１８０】
図２５にケース５として示されている本開示の一態様では、変調シンボルレベルシーケンス生成は、シンボル毎のＱＡＭ変調、ＢＰＳＫ変調、及び／又はπ／２−ＢＰＳＫ変調によって、続いてコンステレーションマッピングによって実行され、第２の変調シンボルを生成する。次に、第２の変調シンボルは、長さＮ（Ｎ＞＝１）を有するＵＥ固有のベクトルシーケンス拡散によって拡散される。
【０１８１】
図２５にケース６として示されている本開示の一態様では、変調シンボルレベルシーケンス生成は、シンボル毎のＱＡＭ変調、ＢＰＳＫ変調、及び／又はπ／２−ＢＰＳＫ変調によって、続いてオプションの位相及び／又は振幅調整を各変調シンボルに適用し、次にシンボルをサイズＬのグループにグループ化することによって実行される。次に、シンボルグループは、サイズＬ×Ｎ（Ｎ＞＝Ｌ、ここでＮは拡散長を示す）を有するＵＥ固有の行列拡散によって乗算される。
【０１８２】
図２６は、フレームワークにおいて使用される変調シンボルレベルシーケンス生成ブロックについての異なる態様を示す。
【０１８３】
図２６にケース７として示されている本開示の一態様では、変調シンボルレベルシーケンス生成は、入力ビットの各ストリームをＱＡＭ及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散によって実行される。次に、セル固有のシンボルスクランブルが変調シンボルシーケンスに適用される。いくつかの実施形態では、ベクトルシーケンス拡散及び／又はシンボルスクランブルもレイヤ固有のものとすることができる。
【０１８４】
図２６にケース８として示されている本開示の一態様では、変調シンボルレベルシーケンス生成は、入力ビットの各ストリームをシンボルにマッピングするための非ＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散によって実行される。次に、セル固有のシンボルスクランブルが変調シンボルシーケンスに適用される。いくつかの実施形態では、ベクトルシーケンス拡散及び／又はシンボルスクランブルもレイヤ固有のものとすることができる。
【０１８５】
図２６にケース９として示されている本開示の一態様では、変調シンボルレベルシーケンス生成は、入力ビットの各ストリームをＬ個のシンボルにマッピングするための長さＬの多次元変調によって、続いてサイズＬ×Ｎ（Ｎ＞＝Ｌ、ここでＮは拡散長を表す）を有するＵＥ固有の行列拡散によって実行される。次に、セル固有のシンボルスクランブルが変調シンボルシーケンスに適用される。いくつかの実施形態では、行列拡散及び／又はシンボルスクランブルもレイヤ固有のものとすることができる。
【０１８６】
図２６にケース１０として示されている本開示の一態様では、変調シンボルレベルシーケンス生成は、シンボル毎のＱＡＭ変調、ＢＰＳＫ変調、及び／又はπ／２−ＢＰＳＫ変調によって、続いてシンボルをサイズＬのグループにグループ化することによって実行される。次に、シンボルグループは、サイズＬ×Ｎ（Ｎ＞＝Ｌ、ここでＮは拡散長を表す）のＵＥ固有の行列拡散によって乗算される。次に、セル固有のシンボルスクランブルが変調シンボルシーケンスに適用される。いくつかの実施形態では、行列拡散及び／又はシンボルスクランブルもレイヤ固有のものとすることができる。
【０１８７】
図２６にケース１１として示されている本開示の一態様では、変調シンボルレベルシーケンス生成は、シンボル毎のＱＡＭ変調、ＢＰＳＫ変調、及び／又はπ／２−ＢＰＳＫ変調によって、続いてコンステレーションマッピングによって実行され、第２の変調シンボルを生成する。次に、第２の変調シンボルは、長さＮ（Ｎ＞＝１）を有するＵＥ固有のベクトルシーケンス拡散によって拡散される。次に、セル固有のシンボルスクランブルが変調シンボルシーケンスに適用される。いくつかの実施形態では、ベクトルシーケンス拡散及び／又はシンボルスクランブルもレイヤ固有のものとすることができる。
【０１８８】
図２６にケース１２として示されている本開示の一態様では、変調シンボルレベルシーケンス生成は、シンボル毎のＱＡＭ変調、ＢＰＳＫ変調、及び／又はπ／２−ＢＰＳＫ変調によって、続いてオプションの位相及び／又は振幅調整を各変調シンボルに適用し、次に、シンボルをサイズＬのグループにグループ化することによって実行される。次に、シンボルグループは、サイズＬ×Ｎ（Ｎ＞＝Ｌ、ここでＮは拡散長を表す）を有するＵＥ固有の行列拡散によって乗算される。次に、セル固有のシンボルスクランブルが変調シンボルシーケンスに適用される。いくつかの実施形態では、行列拡散及び／又はシンボルスクランブルもレイヤ固有のものとすることができる。
【０１８９】
図２７は、フレームワークにおいて使用される変調シンボルレベルシーケンス発生ブロックについての異なる態様を示す。
【０１９０】
図２７にケース１３として示されている本開示の一態様では、変調シンボルレベルシーケンス生成は、入力ビットの各ストリームをＱＡＭシンボルにマッピングするためのＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散によって実行される。次に、セル固有のシンボルインターリーブが変調シンボルシーケンスに適用される。いくつかの実施形態では、ベクトルシーケンス拡散及び／又はシンボルインターリーブもレイヤ固有のものとすることができる。
【０１９１】
図２７にケース１４として示されている本開示の一態様では、変調シンボルレベルシーケンス生成は、入力ビットの各ストリームをシンボルにマッピングするための非ＱＡＭ変調、ＢＰＳＫ変調、及び／又はπ／２−ＢＰＳＫ変調によって、続いて長さＮ（Ｎ＞＝１）を有するＵＥ固有のベクトルシーケンスで拡散によって実行される。次に、セル固有のシンボルインターリーブが変調シンボルシーケンスに適用される。いくつかの実施形態では、ベクトルシーケンス拡散及び／又はシンボルインターリーブもレイヤ固有のものとすることができる。
【０１９２】
図２７にケース１５として示されている本開示の一態様では、変調シンボルレベルシーケンス生成は、入力ビットの各ストリームをＬ個のシンボルにマッピングするための長さＬの多次元変調によって、続いてサイズＬ×Ｎ（Ｎ＞＝Ｌ、ここでＮは拡散長を表す）を有するＵＥ固有の行列拡散によって実行される。次に、セル固有のシンボルインターリーブが変調シンボルシーケンスに適用される。いくつかの実施形態では、行列拡散及び／又はシンボルインターリーブもレイヤ固有のものとすることができる。
【０１９３】
図２７にケース１６として示されている本開示の一態様では、変調シンボルレベルシーケンス生成は、シンボル毎のＱＡＭ変調、ＢＰＳＫ変調、及び／又はπ／２−ＢＰＳＫ変調によって、続いてシンボルをサイズＬのグループにグループ化することによって実行される。次に、シンボルグループは、サイズＬ×Ｎ（Ｎ＞＝Ｌ、ここでＮは拡散長を表す）を有するＵＥ固有の行列拡散によって乗算される。次に、セル固有のシンボルインターリーブが変調シンボルシーケンスに適用される。いくつかの実施形態では、行列拡散及び／又はシンボルインターリーブもレイヤ固有のものとすることができる。
【０１９４】
図２７にケース１７として示されている本開示の一態様では、変調シンボルレベルシーケンス生成は、シンボル毎のＱＡＭ変調、ＢＰＳＫ変調、及び／又はπ／２−ＢＰＳＫ変調によって、続いてコンステレーションマッピングによって実行され、第２の変調シンボルを生成する。次に、第２の変調シンボルは、長さＮ（Ｎ＞＝１）を有するＵＥ固有のベクトルシーケンス拡散によって拡散される。次に、セル固有のシンボルインターリーブが変調シンボルシーケンスに適用される。いくつかの実施形態では、ベクトルシーケンス拡散及び／又はシンボルインターリーブもレイヤ固有のものとすることができる。
【０１９５】
図２７にケース１８として示されている本開示の一態様では、変調シンボルレベルシーケンス生成は、シンボル毎のＱＡＭ変調、ＢＰＳＫ変調、及び／又はπ／２−ＢＰＳＫ変調によって、続いてオプションの位相及び／又は振幅調整を各変調シンボルに適用し、次にシンボルをサイズＬのグループにグループ化することによって実行される。次に、シンボルグループは、サイズＬ×Ｎ（Ｎ＞＝Ｌ、ここでＮは拡散長を示す）を有するＵＥ固有の行列拡散によって乗算される。次に、セル固有のシンボルインターリーブが変調シンボルシーケンスに適用される。いくつかの実施形態では、行列拡散及び／又はシンボルインターリーブもレイヤ固有のものとすることができる。
【０１９６】
図２８は、フレームワークにおいて使用される変調シンボルレベルシーケンス生成ブロックについての異なる態様を示す。
【０１９７】
図２８にケース１９として示されている本開示の一態様では、変調シンボルレベルシーケンス生成は、入力ビットの各ストリームをＱＡＭ及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散及び／又はレイヤ固有のベクトルシーケンス拡散によって実行される。次に、ＵＥ固有のシンボルスクランブル及び／又はレイヤ固有のシンボルスクランブルが変調シンボルシーケンスに適用される。
【０１９８】
図２８にケース２０として示されている本開示の別の態様では、変調シンボルレベルシーケンス生成は、入力ビットの各ストリームをシンボルにマッピングするための非ＱＡＭ変調によって、続いて長さＮ（Ｎ＞＝１）を有するＵＥ固有のベクトルシーケンス拡散及び／又はレイヤ固有のベクトルシーケンス拡散によって実行される。次に、ＵＥ固有のシンボルスクランブル及び／又はレイヤ固有のスクランブルが変調シンボルシーケンスに適用される。
【０１９９】
図２８にケース２１として示されている本開示の別の態様では、変調シンボルレベルシーケンス生成は、入力ビットの各ストリームをＬ個のシンボルにマッピングするための長さＬの多次元変調によって、続いてサイズＬ×Ｎ（Ｎ＞＝Ｌ、ここで、Ｎは拡散長を表す）のＵＥ固有の行列拡散及び／又はレイヤ固有の行列拡散によって実行される。次に、ＵＥ固有のシンボルスクランブル及び／又はレイヤ固有のシンボルスクランブルが変調シンボルシーケンスに適用される。
【０２００】
図２８にケース２２として示されている本開示のさらに別の態様では、変調シンボルレベルシーケンス生成は、シンボル毎のＱＡＭ変調、ＢＰＳＫ変調、及び／又はπ／２−ＢＰＳＫ変調によって、続いてシンボルをサイズＬのグループにグループ化することによって実行される。次に、シンボルグループは、サイズＬ×Ｎ（Ｎ＞＝Ｌ、ここでＮは拡散長を表す）を有するＵＥ固有の行列拡散及び／又はレイヤ固有の行列拡散によって乗算される。次に、ＵＥ固有のシンボルスクランブル及び／又はレイヤ固有のシンボルスクランブルが変調シンボルシーケンスに適用される。
【０２０１】
図２８にケース２３として示されている本開示のさらに別の態様では、変調シンボルレベルシーケンス生成は、シンボル毎のＱＡＭ変調、ＢＰＳＫ変調、及び／又はπ／２−ＢＰＳＫ変調によって、続いてコンステレーションマッピングによって実行され、第２の変調シンボルを生成する。次に、第２の変調シンボルは、長さＮ（Ｎ＞＝１）を有するＵＥ固有のベクトルシーケンス拡散及び／又はレイヤ固有のベクトルシーケンス拡散によって拡散される。次に、ＵＥ固有のシンボルスクランブル及び／又はレイヤ固有のシンボルスクランブルが変調シンボルシーケンスに適用される。
【０２０２】
図２８にケース２４として示されている本開示のさらに別の態様では、変調シンボルレベルシーケンス生成は、シンボル毎のＱＡＭ変調、ＢＰＳＫ変調、及び／又はπ／２−ＢＰＳＫ変調によって、続いてオプションの位相及び／又は振幅調整の各変調シンボルに適用し、次にシンボルをサイズＬのグループにグループ化することによって実行される。次に、シンボルグループは、サイズＬ×Ｎ（Ｎ＞＝Ｌ、ここでＮは拡散長を表す）を有するＵＥ固有の行列拡散及び／又はレイヤ固有の行列拡散によって乗算される。次に、ＵＥ固有のシンボルスクランブル及び／又はレイヤ固有のシンボルスクランブルが変調シンボルシーケンスに適用される。
【０２０３】
図２９は、フレームワークにおいて使用される変調シンボルレベルシーケンス生成ブロックについての異なる態様を示す。
【０２０４】
図２９にケース２５として示されている本開示の一態様では、変調シンボルレベルシーケンス生成は、入力ビットの各ストリームをＱＡＭ及び／又はＢＰＳＫシンボルにマッピングするためのＱＡＭ変調、ＢＰＳＫ変調、及び／又はπ／２−ＢＰＳＫ変調によって、続いて長さＮ（Ｎ＞＝１）を有するＵＥ固有のベクトルシーケンス拡散及び／又はレイヤ固有のベクトルシーケンス拡散によって実行される。次に、ＵＥ固有のシンボルインターリーブ及び／又はレイヤ固有のシンボルインターリーブが変調シンボルシーケンスに適用される。
【０２０５】
図２９にケース２６として示されている本開示の別の態様では、変調シンボルレベルシーケンス生成は、入力ビットの各ストリームをシンボルにマッピングするための非ＱＡＭ変調によって、続いて長さＮ（Ｎ＞＝１）を有するＵＥ固有のベクトルシーケンス拡散及び／又はレイヤ固有のベクトルシーケンス拡散によって実行される。次に、ＵＥ固有のシンボルインターリーブ及び／又はレイヤ固有のシンボルインターリーブが変調シンボルシーケンスに適用される。
【０２０６】
図２９にケース２７として示されている本開示の別の態様では、変調シンボルレベルシーケンス生成は、入力ビットの各ストリームをＬ個のシンボルにマッピングするための長さＬの多次元変調によって、続いてサイズＬ×Ｎ（Ｎ＞＝Ｌ、ここでＮは拡散長を表す）を有するＵＥ固有の行列拡散及び／又はレイヤ固有の行列拡散によって行実行される。次に、ＵＥ固有のシンボルインターリーブ及び／又はレイヤ固有のシンボルインターリーブが変調シンボルシーケンスに適用される。
【０２０７】
図２９にケース２８として示されている本開示のさらに別の態様では、変調シンボルレベルシーケンス生成は、シンボル毎のＱＡＭ変調、ＢＰＳＫ変調、及び／又はπ／２−ＢＰＳＫ変調によって、続いてシンボルをサイズＬのグループにグループ化することによって実行される。次に、シンボルグループは、サイズＬ×Ｎ（Ｎ＞＝Ｌ、ここでＮは拡散長を表す）を有するＵＥ固有の行列拡散及び／又はレイヤ固有の行列拡散によって乗算される。次に、ＵＥ固有のシンボルインターリーブ及び／又はレイヤ固有のシンボルインターリーブが変調シンボルシーケンスに適用される。
【０２０８】
図２９にケース２９として示されている本開示のさらに別の態様では、変調シンボルレベルシーケンス生成は、シンボル毎のＱＡＭ変調、ＢＰＳＫ変調、及び／又はπ／２−ＢＰＳＫ変調によって、続いてコンステレーションマッピングによって実行され、第２の変調シンボルを生成する。次に、第２の変調シンボルは、長さＮ（Ｎ＞＝１）を有するＵＥ固有のベクトルシーケンス拡散及び／又はレイヤ固有のベクトルシーケンス拡散によって拡散される。次に、ＵＥ固有のシンボルインターリーブ及び／又はレイヤ固有のベクトルインターリーブが変調シンボルシーケンスに適用される。
【０２０９】
図２９にケース３０として示されている本開示のさらに別の態様では、変調シンボルレベルシーケンス生成は、シンボル毎のＱＡＭ変調、ＢＰＳＫ変調、及び／又はπ／２−ＢＰＳＫ変調によって、続いてオプションの位相及び／又は振幅調整を各変調シンボルに適用し、次にシンボルをサイズＬのグループにグループ化することによって実行される。次に、シンボルグループは、サイズＬ×Ｎ（Ｎ＞＝Ｌ、ここでＮは拡散長を表す）を有するＵＥ固有の行列拡散及び／又はレイヤ固有の行列拡散によって乗算される。次に、ＵＥ固有のシンボルインターリーブ及び／又はレイヤ固有のシンボルインターリーブが変調シンボルシーケンスに適用される。
【０２１０】
いくつかの実施形態では、ビットレベル及びシンボルレベルのインターリーブ及び／又はスクランブルの両方のオプションがある。この場合に、インターリーバパターン及びスクランブルシーケンスは、ＵＥ固有、レイヤ固有、セル固有、又はそれらの組合せとすることができる。
【０２１１】
図３０Ａ〜図３０Ｃは、フレームワークにおけるシンボルシーケンスプリコーダの態様を示す。図３０Ａは、ＦＥＣ２００２、ビットレベルインターリーバ／スクランブラ２００４、変調シンボルレベルシーケンス生成器２００６、シンボルシーケンスプリコーダ２００８、シンボル対ＲＥマッピングユニット２０１０、及び波形変調器２０１２を含むシステム２０００を示す。システム２０００は、図２０に示したものと同じであり、シンボルシーケンスプリコーダ２００８が、図３０Ｂ及び図３０Ｃに示されるように他のコンポーネントと置き換えることができることを示すために強調表示されている。
【０２１２】
いくつかの実施形態では、ＰＡＰＲ低減のためにシンボルプリコーディングが実行される。この場合に、シンボル対ＲＥマッピングの前に、シンボルプリコーディングのオプションのブロックがある。使用されるプリコーディング行列は、ＯＦＤＭ波形の場合にはＤＦＴ行列とすることができる。他のいくつかの方式では、プリコーディングはシンボル対ＲＥマッピングの後に使用することができる。
【０２１３】
図３０Ｂに示される本開示の一態様では、シンボルシーケンスプリコーディングは、シンボル対ＲＥマッピング２０１０の前にＤＦＴ行列乗算２０１４によって実現される。
【０２１４】
図３０Ｃに示される開示の別の態様では、シンボルシーケンスプリコーディングは、シンボル対ＲＥマッピング２０１０の後にＤＦＴ行列乗算２０１４によって実現される。
【０２１５】
図３１は、フレームワークにおけるシンボル対ＲＥマッピングブロックの実施形態を示す。いくつかの方式では、ＲＥ対シンボルマッピングはスパースになり得、これは生成された変調シンボルシーケンスが利用可能なリソースのサブセットにのみマッピングされることを意味する。スパーシティパターンだけでなくスパーシティレベル（利用可能な総ＲＥに対する占有ＲＥの比）は、ＵＥ固有、レイヤ固有、セル固有、又はそれらの組合せとすることができる。いくつかの方式では、ＲＥ対シンボルマッピングは、生成された変調シンボルシーケンスが利用可能な全てのリソース要素にマッピングされることを意味する非スパースであり得る。マッピングパターンは、ＵＥ固有、セル固有、又はその両方とすることができる。
【０２１６】
図３１にケース１として示されているいくつかの態様では、シンボル対ＲＥマッピングは、マッピングがインターリーバを用いずにシーケンシャルである場合に、非スパース（１対１マッピング）である。
【０２１７】
図３１にケース２として示されている本開示の別の態様では、シンボル対ＲＥマッピングは、セル固有のインターリーバが存在してマッピングにも使用される場合に、非スパース（１対１マッピング）である。
【０２１８】
図３１にケース３として示されている本開示の別の態様では、シンボル対ＲＥマッピングは、ＵＥ固有のインターリーバ及び／又はレイヤ固有のインターリーバが存在してマッピングにも使用される場合に、非スパース（１対１マッピング）である。
【０２１９】
図３１にケース４として示されている本開示の別の態様では、シンボル対ＲＥマッピングは、スパーシティパターンが固定されている（ＵＥ固有、レイヤ固有、又はセル固有ではない）場合に、スパースである。
【０２２０】
図３１にケース５として示されている本開示の別の態様では、シンボル対ＲＥマッピングは、スパーシティレベルが固定であるがスパーシティパターンがセル固有である場合に、スパースである。
【０２２１】
図３１にケース６として示されている本開示の別の態様では、シンボル対ＲＥマッピングは、スパーシティレベルが固定されているがスパーシティパターンがＵＥ固有及び／又はレイヤ固有である場合に、スパースである。
【０２２２】
図３１にケース７として示されている本開示の別の態様では、シンボル対ＲＥマッピングは、スパースであり、セル固有のスパーシティレベル及びセル固有のスパーシティパターンを有する。
【０２２３】
図３１にケース８として示されている本開示の別の態様では、シンボル対ＲＥマッピングは、スパースであり、セル固有のスパーシティレベル並びにＵＥ固有及び／又はレイヤ固有のスパーシティパターンを有する。
【０２２４】
図３１にケース９として示されている本開示の別の態様では、シンボル対ＲＥマッピングは、スパースであり、ＵＥ固有及び／又はレイヤ固有のスパーシティレベル及びＵＥ固有及び／又はレイヤ固有のスパーシティパターンを有する。
【０２２５】
いくつかの実施形態では、情報ビットは複数のストリームに分割される。ビットの各ストリームが、ステップ１、２、及び３で処理される。ステップ３の後に、シンボルは、ＲＥへのマッピングの前に、電力ドメイン及び／又は空間ドメインの重合せを使用して一緒に重ね合わされる。
【０２２６】
説明した全ての実施形態において、インターリーブパターン、スクランブルシーケンス、及び他の動作は、ネットワークによって動的に設定することができる。
【０２２７】
図３２は、ＮｏＭＡ信号の送信のための例示的な方法を説明するフローチャート３２００である。ステップ３２０５は、送信装置によってネットワークから情報を受信することができるオプションのステップである。ネットワークは、ＮｏＭＡ信号を生成するための信号処理動作の選択に関連し得る情報を送信装置に提供する。ＮｏＭＡ信号がＵＥからネットワーク側受信機へのアップリンク方向に送信されているとき、送信装置はＵＥ又は端末装置である。
【０２２８】
ステップ３２１０は、送信装置が、ＮｏＭＡ信号を生成するために使用すべき複数の信号処理動作から信号処理動作のセットを選択することを含む。信号処理動作の例は、図２１〜図３１に関する説明の態様を参照することができる。機能ユニット又は機能ブロックの各態様を別の機能ユニット又は機能ブロックの態様と組み合わせて、異なる変形形態又は組合せを作ることができることが理解されよう。信号処理動作のセットのうちの少なくとも１つの信号処理動作は、レイヤ固有及び／又はＵＥ固有の動作である。信号処理動作の例は、ビットレベルインターリーブ、シンボルレベル拡散、シンボルレベルインターリーブ、シンボル対トーンマッピング、シンボルプリコーディング、及びコンステレーションマッピングのうちの少なくとも１つを含み得る。
【０２２９】
オプションのステップ３２１５は、送信装置が、１つ又は複数の性能要件を満たすように信号処理動作のセットうちの１つ又は複数の信号処理動作を設定することを含む。性能要件は、信号カバレッジ、信号接続密度、及びスペクトル効率等であるがこれらに限定されるものではない要因に関連し得る。
【０２３０】
ステップ３２２０は、送信装置が、ＮｏＭＡ信号を生成するために、選択した信号処理動作のセットを使用して少なくとも１つのレイヤで情報ビットのストリームを送信するために処理することを含む。
【０２３１】
ステップ３２３０は、送信装置がＮｏＭＡ信号を送信することを含む。
【０２３２】
更なるオプションのステップ３２４０は、送信装置が、受信機においてＮｏＭＡ信号を復号するのに役立ち得るＮｏＭＡ信号の情報を受信機に通知することを含み得る。これは、ＮｏＭＡ信号を生成するために送信装置によって使用される、信号処理動作のうちの１つ又は複数、又は選択した信号処理動作のセットに関連する予め規定された多元接続方式を受信機に通知することを含み得る。いくつかの実施形態では、そのような情報は黙示的であり、例えば、ＵＥ  ｉｄ、アプリケーションタイプに関連付けることができ、従って、ＵＥからの追加のシグナリングを必要としない。
【０２３３】
方法例３２００は、例示を目的としている。図３２において上記フローチャートのオプションとして識別されるステップは、本方法の所与の実施態様において実行してもしなくてもよい。他の態様は、様々な方法のうちのいずれかで例示された動作を実行すること、より少ない又は追加の動作を実行すること、及び／又は動作が実行される順序を変えることを含み得る。他の変形形態は、本開示に基づいて当業者には明らかであり得るか又は明らかになり得る。
【０２３４】
本願の別の特定の態様は、特定の要件を満たすためにフレームワーク内において使用される異なる信号処理動作を設定するための方法を対象とし得る。いくつかの実施形態では、これは図３２のステップ３２１５に関連し得る。信号処理動作の設定は、上述したフレームワーク、特定のアプリケーションシナリオ、及び物理（ＰＨＹ）レイヤ要件のうちの１つ又は複数に基づいてもよい。信号処理動作が満たすように設定される要件は、信号カバレッジ、接続密度、及びスペクトル効率を含み得るが、それらに限定されるものではない。
【０２３５】
信号カバレッジは、送信信号のＰＡＰＲに主に関係する。低いＰＡＰＲを実施しようと試みることは、シンボル拡散動作、及びシンボル対トーンマッピング動作、又はその両方にいくつかの制約を課すかもしれない。
【０２３６】
大規模な（large scale）接続は、受信機において信号衝突を引き起こす可能性がある。大規模な接続をサポートする際に、レイヤ固有及び／又はＵＥ固有のシンボルレベル動作を含む信号処理動作は、受信信号を復号するのに有益であり得る。レイヤ固有及び／又はＵＥ固有のシンボルレベル動作の例は、スパース拡散シーケンスを用いたレイヤ固有及び／又はＵＥ固有のシンボルインターリーブ／シャッフル、並びにレイヤ固有及び／又はＵＥ固有のスパースシンボル対トーンマッピングを含む。
【０２３７】
高いスペクトル効率を達成するために、線形拡散の代わりに、多次元拡散、並びにレイヤ固有及び／又はＵＥ固有のビットレベル又はレイヤ固有及び／又はＵＥ固有のシンボルレベルインターリーブを含む信号処理動作を使用することは有益である。
【０２３８】
上述した例示的なフレームワークは、ＵＬ  ＮｏＭＡに関して説明しており、そのフレームワークは、ネットワーク側受信機と通信している１つ又は複数のＵＥによって利用されると考えられる。各ＵＥは、ＵＥがＵＥのそれぞれのアプリケーションに最良であると判断した様々な信号処理動作を選択することができる。ＵＥは、ａ）ネットワークによってＵＥに課される要件、ｂ）ＵＥによって確立された要件、ｃ）ＵＥによって行われたＵＥ環境を規定する測定値、及びｄ）ＵＥ  ｉｄ又はレイヤインデックスのうちの１つ又は複数に基づいて、信号処理動作を決定することができる。
【０２３９】
ＵＥは、ＵＥによって行われている決定に関連し得る情報をネットワークから受信することができる。例えば、ネットワークは、受信機が高密度領域内にあるかどうかをＵＥに示して、ＵＥがどの信号処理動作を選択すべきかについて適切な決定を下すことを可能にし得る。そのような情報は、ネットワークによって上位レイヤメッセージ、物理レイヤメッセージ、又はその両方で送信され得る。所与の領域内の信号密度等の物理的条件は、時間が経っても急激には変化しない可能性があるため、更新頻度が少ない可能性がある。
【０２４０】
信号処理動作を設定することは、全拡散又は部分拡散のために拡散シグネチャを設定すること；ＱＡＭ変調、ＢＰＳＫ変調、π／２−ＢＰＳＫ変調、ＰＳＫ変調、多次元変調等であるがこれらに限定されるものではない、使用すべき変調のタイプを選択すること；又はプリコーディングを使用すべきかどうかを選択すること；を含み得る。
【０２４１】
ＵＥは信号処理動作を選択することを担当し得るが、ＵＥは、ネットワーク側受信機から情報を受信し、受信した情報に基づいて信号処理動作を選択し得る。ネットワーク側受信機は、受信機のＵＥの知識に基づいて、異なるＵＥに対して異なる選択を提案又は割り当てることができる。いくつかの実施形態では、信号処理動作のセットは、ＵＥ及びネットワークによってアクセス可能なルックアップテーブル（ＬＵＴ）に規定及び記憶され得、マッピング規則は、ネットワークによって指定され、各信号処理動作をＵＥ  ｉｄ、レイヤインデックス、及び通信パラメータ（アプリケーションタイプ、スペクトル効率、信号カバレッジ、及びＫＰＩ要件を含むがこれらに限定されるものではない）にどの様にマッピングするかについてＵＥに伝達され得る。
【０２４２】
ＵＥは、使用されているＮｏＭＡ信号のタイプ、すなわち信号を生成するために使用している信号処理動作のタイプを受信機に知らせるために受信機に信号を送ることもできる。
【０２４３】
受信機は、所与の信号に最も適した様々なタイプの復号方法を使用することが可能であり得る。例えば、受信機は、最大尤度（ＭＬ）、メッセージパッシングアルゴリズム（ＭＰＡ）、及び逐次干渉除去（ＳＩＣ）等の復号方法を使用することが可能であり得る。いくつかの実施形態では、受信機は、受信機がＵＥについて有する知識、及びＵＥが動作している環境、及びアプリケーションシナリオに基づいて、信号を復号するための最良の復号方法を選択することができる。ＵＥが動作している環境は、スペクトル効率、カバレッジ、ピーク対平均電力比（ＰＡＰＲ）、及びシステム接続性等の物理レイヤ要件を指し得る。いくつかの実施形態では、受信機は、ＵＥが送信のために選択したＮｏＭＡ方式のタイプを識別する、ＵＥから受信した情報に基づいて信号を復号するための最良の復号方法を選択することができる。
【０２４４】
図３３は、ＭＡ信号又はＮｏＭＡ信号を送信するための例示的な機器３３００のブロック図である。例示的な機器３３００は、ＵＥであり得、こうして、キーパッド、表示画面、スピーカ、マイク等、通常そのような機器の一部となるであろう様々な要素を有し得る。機器３３００は、異なるユニットやコンポーネントを使用して、多くの異なる方法で実施することができることが理解される。図３３の例では、機器３３００は、プロセッサ３３１０と、プロセッサ可読又は非一時的な記憶装置３３２０とを含む。プロセッサ可読記憶装置３３２０は、プロセッサによって実行されると、プロセッサに上述した方法と一致する方法を実行させるプロセッサ実行可能命令３３３０を記憶する。別の例（図示せず）では、機器３３００は、本明細書で説明した方法を実行するように、及び／又はそうでなければ本明細書で説明したような機能及び／又は実施形態の実行を制御するように構成される（プロセッサ等の回路内の）ハードウェアのみで実装できる。機器は、別個の（無線周波数−ＲＦ）送信モジュールとインターフェースするように構成され得る。例えば、機器は、本明細書で説明したような信号処理動作のセットを選択して、（適切な送信インターフェースを介して）別個の（ＲＦ）ユニットによる送信のためのＮｏＭＡ信号を生成するように、ハードウェア又は回路に（例えば、１つ又は複数のチップセット、マイクロプロセッサ、特定用途向け集積回路（ＡＳＩＣ（application-specific integrated circuit））、フィールドプログラマブルゲートアレイ（ＦＰＧＡ（field-programmable gate array））、専用論理回路、又はそれらの組合せで）実装することができる。
【０２４５】
図３４は、ＭＡ信号を生成及び送信するための例示的なネットワーク（側）機器３４００のブロック図である。そのようなネットワーク側装置は、他のネットワーク側タスクを実行するための物理的構造を含み得、装置がそれに応じて動作することを可能にするネットワーク内のどこにでも配置され得る。図３３の機器３３００と同様に、図３４の機器３４００は、異なるユニット及び／又はコンポーネントを使用して多くの異なる方法で実施することができる。例示的な機器３４００は、プロセッサ３４１０と、プロセッサ可読又は非一時的な記憶装置３４２０とを含む。プロセッサ可読記憶装置３４２０は、プロセッサによって実行されると、プロセッサに上述した方法と一致する方法を実行させるプロセッサ実行可能命令３４３０を記憶する。別の例（図示せず）では、機器３４００は、本明細書で説明した方法を実行するように、及び／又はそうでなければ本明細書で説明したような機能及び／又は実施形態の実行を制御するように構成される（プロセッサ等の回路内の）ハードウェアのみで実装され得、且つ別個の（無線周波数−ＲＦ）送信モジュールとインターフェースするように構成され得る。例えば、本装置は、本明細書で説明したような信号処理動作のセットを選択して、（適切な送信インターフェースを介して）別個の（ＲＦ）ユニットによる送信のためにＮｏＭＡ信号を生成するように、ハードウェア又は回路に（例えば、１つ又は複数のチップセット、マイクロプロセッサ、ＡＳＩＣ、ＦＰＧＡ、専用論理回路、又はそれらの組合せで）実装することができる。
【０２４６】
図３５は、ＭＡ信号又はＮｏＭＡ信号を受信するための例示的な機器３５００のブロック図である。例示的な機器は、ＭＡ信号又はＮｏＭＡ信号を受信及び復号することができるネットワーク（側）装置であり得る。そのようなネットワーク側装置は、他のネットワーク側タスクを実行するための物理的構造を含み得、装置がそれに応じて動作することを可能にするネットワーク内のどこにでも配置され得る。例示的な機器３５００は、異なるユニット又はコンポーネントを使用して多くの異なる方法で実施することができる。図３５の例では、機器は、プロセッサ３５１０と、プロセッサ可読又は非一時的な記憶装置３５２０とを含む。プロセッサ可読記憶装置３５２０は、プロセッサによって実行されると、プロセッサに１つ又は複数の送信機から１つ又は複数のＭＡ信号又は１つ又は複数のＮｏＭＡ信号を受信し、１つ又は複数のＭＡ信号又は１つ又は複数のＮｏＭＡ信号を復号する方法を実行させるプロセッサ実行可能命令３５３０を記憶する。別の例（図示せず）では、機器３５００は、本明細書で説明した方法を実行するように、及び／又はそうでなければ本明細書で説明したような機能及び／又は実施形態の実行を制御するように構成される（プロセッサ等の回路内の）ハードウェアのみで実装され得、且つ別個の（ＲＦ）受信モジュールとインターフェースするように構成され得る。例えば、機器３５００は、別個の（ＲＦ）ユニット（及び適切なインターフェース）を介して１つ又は複数のＭＡ又はＮｏＭＡ信号を受信し、本明細書で説明するようにＭＡ／ＮｏＭＡ信号を復号するように、ハードウェア又は回路に（例えば、１つ又は複数のチップセット、マイクロプロセッサ、ＡＳＩＣ、ＦＰＧＡ、専用論理回路、又はそれらの組合せで）実装することができる。
【０２４７】
一実施形態では、多元接続（ＭＡ）信号の送信方法は、第１の変調タイプを使用して、少なくとも１ビットを含む少なくとも１つの第１のビットストリームを変調して、少なくとも１つの第１のビットストリームのそれぞれのビットからの第１の変調シンボルを生成することを含む。方法は、それぞれの第１のビットストリームに特有の拡散シーケンスを使用して少なくとも１つの第１の変調シンボルのそれぞれを拡散して、第２のセットの変調シンボルを生成することも含む。方法は、リソース要素マッピングを使用して第２のセットの変調シンボルのうちの少なくとも１つの変調シンボルをマッピングすることも含む。方法は、マッピングされた第２のセットの変調シンボルをＭＡ信号として送信することも含む。
【０２４８】
本開示の一態様では、拡散及びマッピングは単一の動作として実行される。
【０２４９】
本開示の一態様では、方法は、第２のビットストリームを複数の第１のビットストリームに分解することをさらに含む。
【０２５０】
本開示の一態様では、方法は、変調シンボルの少なくとも１つの成分の位相又は電力、或いはその両方を調整することをさらに含む。
【０２５１】
本開示の一態様では、方法は、変調シンボルの少なくとも１つの成分の実部と虚部を分離することをさらに含む。
【０２５２】
本開示の一態様では、方法は、第１のコンステレーションから取り出された変調シンボルの少なくとも１つの成分を第２のコンステレーションから取り出された第２のシンボルにマッピングすることをさらに含む。
【０２５３】
本開示の一態様では、変調シンボルの少なくとも１つの成分のマッピングは、第２のコンステレーションが第１のコンステレーションと同じ点を有するが別のラベルを有するように変調シンボルの成分がマッピングされる第１のコンステレーション点の再ラベル付けを含む。
【０２５４】
本開示の一態様では、変調シンボルの少なくとも１つの成分のマッピングは、第１のコンステレーションをマッピングすることを含み、その際に変調シンボルの少なくとも１つの成分が第１のコンステレーションより少ない数のコンステレーション点を有する第２のコンステレーションにマッピングされる。
【０２５５】
本開示の一態様では、少なくとも１つの第１のビットストリームを変調することは、ａ）２相位相変調（ＢＰＳＫ）変調、ｂ）π／２−ＢＰＳＫ、ｃ）直交振幅変調（ＱＡＭ）、ｄ）４相位相変調（ＱＰＳＫ）変調のうちの１つを含む。
【０２５６】
本開示の一態様では、ＭＡ信号を生成するために少なくとも１つの拡散成分をリソース要素にマッピングすることは、スパース拡散を使用することを含む。
【０２５７】
本開示の一態様では、スパース拡散のスパース性（sparsity）は、異なるレベルのスパース性を可能にするようにフレキシブルである。
【０２５８】
本開示の一態様では、ＭＡ信号を生成するために、リソース要素マッピングを使用して第２のセットの変調シンボルのうちの少なくとも１つの変調シンボルをマッピングすることは、非スパース拡散を使用することを含む。
【０２５９】
本開示の一態様では、成分固有の拡散シーケンスは、その要素が所与のアルファベットから取り出される擬似ランダムカバーコード、又は特定の基準に基づいて規定された構造化カバーコードを含む。
【０２６０】
本開示の一態様では、方法は、ａ）アプリケーションシナリオ、ｂ）ＭＡ送信のための物理レイヤ要件、ｃ）満たしている（meeting）キーパラメータインジケータ（ＫＰＩ）のうちの１つ又は複数に基づいて、第１の変調タイプ、成分固有の拡散シーケンス、及びリソース要素マッピングを選択することをさらに含む。
【０２６１】
本開示の一態様では、ＭＡ送信のための物理レイヤ要件は、ａ）信号のスペクトル要件、ｂ）信号の変調及び符号化方式、ｃ）ピーク対平均電力比（ＰＡＰＲ）、ｄ）チャネル品質指標（ＣＱＩ）及び／又は信号対雑音比（ＳＮＲ）測定値を含むがこれらに限定されるものではない信号のチャネル属性のうちの少なくとも１つを含む。
【０２６２】
本開示の一態様では、ＭＡ信号を生成するために、リソース要素マッピングを使用して第２のセットの変調シンボルのうちの少なくとも１つの変調シンボルをマッピングすることは、ユーザ装置（ＵＥ）固有のリソースマッピング及び／又はレイヤ固有のリソースマッピングを使用することを含む。
【０２６３】
本開示の一態様では、成分固有の拡散シーケンスを使用して各少なくとも１つの成分を拡散することは、レイヤ固有の拡散シーケンス、及びレイヤ固有のスパーシティパターンのうちの少なくとも１つを使用することを含む。
【０２６４】
一実施形態では、多元接続（ＭＡ）信号を送信するように設定される送信装置は、プロセッサと、プロセッサによって実行されると方法を実行するコンピュータ実行可能命令を記憶したコンピュータ可読記憶媒体とを含む。方法は、第１の変調タイプを使用して、少なくとも１ビットを含む少なくとも１つの第１のビットストリームを変調して、少なくとも１つの第１のビットストリームのそれぞれのビットから少なくとも１つの第１の変調シンボルを生成することを含む。方法は、それぞれの第１のビットストリームに固有の拡散シーケンスを使用して少なくとも１つの第１の変調シンボルのそれぞれを拡散して、第２のセットの変調シンボルを生成することも含む。方法は、リソース要素マッピングを使用して第２のセットの変調シンボルのうちの少なくとも１つの変調シンボルをマッピングすることも含む。方法は、マッピングされた第２のセットの変調シンボルをＭＡ信号として送信することも含む。
【０２６５】
一実施形態では、コンピュータ可読記憶媒体が提供される。コンピュータ可読記憶媒体は、プロセッサによって実行されると方法を実行するコンピュータ実行可能命令を記憶する。方法は、第１の変調タイプを使用して、少なくとも１ビットを含む少なくとも１つの第１のビットストリームを変調して、少なくとも１つの第１のビットストリームのそれぞれのビットから少なくとも１つの第１の変調シンボルを生成することを含む。方法は、それぞれの第１のビットストリームに固有の拡散シーケンスを使用して少なくとも１つの第１の変調シンボルのそれぞれを拡散して、第２のセットの変調シンボルを生成することも含む。方法は、リソース要素マッピングを使用して第２のセットの変調シンボルのうちの少なくとも１つの変調シンボルをマッピングすることも含む。方法は、マッピングされた第２のセットの変調シンボルをＭＡ信号として送信することも含む。
【０２６６】
一実施形態では、多元接続（ＭＡ）信号を復号する方法は、ＭＡ信号を受信することを含む。方法は、ＭＡ信号を復号するための変調タイプ、成分固有の拡散シーケンス、及びシンボル対リソース要素マッピングの少なくとも１つのセットを決定することを含む。方法は、ＭＡ信号を復号することも含む。
【０２６７】
本開示の一態様では、ＭＡ信号を復号するための変調タイプ、成分固有の拡散シーケンス、及びシンボル対リソース要素マッピングの少なくとも１つのセットを決定することは、送信機によって；又はブラインド検出によって；又は両方の組合せによって送信された変調タイプ、成分固有の拡散シーケンス、及びシンボル対リソース要素マッピングの指標に基づいて決定することを含む。
【０２６８】
一実施形態では、非直交多元接続（ＮｏＭＡ）信号の送信方法は、ＮｏＭＡ信号を生成するために使用すべき複数の信号処理動作から信号処理動作のセットを選択することを含む。信号処理動作のセットのうちの少なくとも１つの信号処理動作は、ＵＥ固有及び／又はレイヤ固有の動作である。方法はまた、選択した信号処理動作のセットを使用して少なくとも１つのレイヤを情報ビットのストリームとして処理してＮｏＭＡ信号を生成することと、ＮｏＭＡ信号を送信することとを含む。
【０２６９】
本開示の一態様では、送信のための信号を生成するために使用される信号処理動作のセットを選択することは、複数の信号処理動作から、ａ）ＵＥ固有及び／又はレイヤ固有のビットレベル多重化、及びｂ）ＵＥ固有及び／又はレイヤ固有のシンボルレベル多重化のうちの少なくとも１つを実行する信号処理動作を選択することを含む。
【０２７０】
本開示の一態様では、送信のための信号を生成するために使用される信号処理動作のセットを選択することは、複数の信号処理動作から、ａ）ビットレベルインターリーブ及び／又はスクランブル、ｂ）シンボルレベル拡散、ｃ）シンボルレベルインターリーブ、ｄ）シンボル対送信ユニットマッピング、ｅ）シンボルプリコーディングのうちの少なくとも１つを実行する信号処理動作を選択することを含む。
【０２７１】
本開示の一態様では、ＮｏＭＡ送信は、少なくとも１つのユーザ装置（ＵＥ）からネットワーク側受信機へのアップリンク方向の送信を含む。
【０２７２】
本開示の一態様では、少なくとも１つのＵＥが、ネットワークからの入力なしにどの信号処理動作を選択するかの決定を下す。
【０２７３】
本開示の一態様では、少なくとも１つのＵＥが、ネットワークからの入力に基づいてどの信号処理動作を選択するかの決定を下す。
【０２７４】
本開示の一態様では、選択した信号処理動作のセットは、ＵＥ固有及び／又はレイヤ固有である。
【０２７５】
本開示の一態様では、送信のための信号を生成するために使用される信号処理動作のセットを選択することは、ａ）アプリケーション特有のシナリオ、ｂ）ＮｏＭＡ送信のための物理レイヤ要件、及びｃ）満たしているキーパラメータインジケータ（ＫＰＩ）のうちの少なくとも１つに基づいて複数の信号処理動作から信号処理動作のセットを選択することを含む。
【０２７６】
本開示の一態様では、ＮｏＭＡ送信のための物理レイヤ要件は、ａ）信号のスペクトル効率、ｂ）信号の変調及び符号化方式、ｃ）ピーク対平均電力比（ＰＡＰＲ）、ｄ）チャネル品質指標（ＣＱＩ）及び／又は信号対雑音比（ＳＮＲ）測定値を含むがこれらに限定されるものではない信号のチャネル属性のうちの少なくとも１つを含む。
【０２７７】
本開示の一態様では、信号処理動作のセットを選択することは、１つ又は複数の性能要件を満たすように信号処理動作のセットの１つ又は複数の信号処理動作を設定することをさらに含む。
【０２７８】
本開示の一態様では、１つ又は複数の性能要件は、ａ）信号カバレッジ、ｂ）システム接続密度、ｃ）スペクトル効率に関連する性能要件を含む。
【０２７９】
一実施形態では、ユーザ装置（ＵＥ）は、非直交多元接続（ＮｏＭＡ）信号を送信するように設定される。ＵＥは、ＮｏＭＡ信号を生成するために使用すべき複数の信号処理動作から信号処理動作のセットを選択するように設定される。その動作のセットのうちの少なくとも１つの信号処理動作は、コードドメインのＵＥ固有及び／又はレイヤ固有の動作である。ＵＥは、選択した信号処理動作のセットを使用して少なくとも１つのレイヤを情報ビットのストリームとして処理してＮｏＭＡ信号を生成するようにも設定される。ＵＥは、ＮｏＭＡ信号を送信するようも設定される。
【０２８０】
一実施形態では、非直交多元接続（ＮｏＭＡ）信号を送信するように設定されたＵＥは、少なくとも１つのアンテナ、プロセッサ、及びコンピュータ実行可能命令を記憶したコンピュータ可読記憶媒体を含む。コンピュータ実行可能命令は、プロセッサによって実行されると、ＮｏＭＡ信号を生成するために使用すべき複数の信号処理動作から信号処理動作のセットを選択することを含む方法を実行する。その動作のセットのうちの少なくとも１つの信号処理動作は、ＵＥ固有及び／又はレイヤ固有の動作である。方法は、選択した信号処理動作のセットを使用して少なくとも１つのレイヤを情報ビットのストリームとして処理してＮｏＭＡ信号を生成することも含む。方法は、少なくとも１つのアンテナ上でＮｏＭＡ信号を送信することも含む。
【０２８１】
一実施形態では、コンピュータ実行可能命令を記憶したコンピュータ可読記憶媒体は、プロセッサによって実行されると、ＮｏＭＡ信号の生成のために使用すべき複数の信号処理動作から信号処理動作のセットを選択することを含む方法を実行する。その動作のセットのうちの少なくとも１つの信号処理動作は、ＵＥ固有及び／又はレイヤ固有の動作である。方法は、選択した信号処理動作のセットを使用して少なくとも１つのレイヤを情報ビットのストリームとして処理して、送信のためのＮｏＭＡ信号を生成することも含む。
【０２８２】
一実施形態では、非直交多元接続（ＮｏＭＡ）送信のための方法は、性能要件を満たす１つ又は複数の基準に基づいて複数のＮｏＭＡ方式からＮｏＭＡ方式を選択することを含む。複数のＮｏＭＡ方式の各ＮｏＭＡ方式は、信号処理動作のセットを含む。方法は、性能要件を満たすように信号処理動作のセットの１つ又は複数を設定することも含む。
【０２８３】
本開示の一態様では、１つ又は複数の基準は、ａ）チャネル条件、ｂ）物理レイヤ要件ｃ）キーパラメータインジケータ（ＫＰＩ）のうちの少なくとも１つを含む。
【０２８４】
本開示の一態様では、性能要件は、ａ）信号カバレッジ、ｂ）信号接続密度、ｃ）ピーク対平均電力比（ＰＡＰＲ）、及びｄ）スペクトル効率のうちの１つ又は複数を含む。
【０２８５】
本開示の一態様では、信号処理動作のセットの１つ又は複数を設定することは、受信機の領域内に高い接続密度があるかどうかを判断することを含む。高い接続密度が存在しない場合に、方法は高いスペクトル効率を使用すべきかどうかを決定する。高いスペクトル効率を使用すべき場合に、方法は、多次元拡散、レイヤ固有のビットレベルインターリーブ、及びレイヤ固有のシンボルレベルインターリーブのうちの１つ又は複数を使用することによって信号処理動作を設定することを含む。高いスペクトル効率を使用すべきでない場合に、方法は、所定のデフォルトのＮｏＭＡ方式を使用することによって信号処理動作を設定することを含む。接続密度が高い場合に、方法は、ＮｏＭＡ信号が高いカバレッジエリア又は高いスペクトル効率を有することになるか、或いはどちらも有さないかを決定することを含む。どちらも有さない場合に、方法は、所定のデフォルトのＮｏＭＡ方式を使用することによって信号処理動作を設定することを含む。信号が高カバレッジエリアを有することになる場合に、方法は、低ＰＡＰＲ変調又はコードブック、低ＰＡＰＲスパースパターン、長い拡散シーケンス、及びシンボルプリコーディングのうちの少なくとも１つを使用することによって信号処理動作を設定することを含む。信号が高いスペクトル効率を有することになる場合に、方法は、線形拡散の代わりに、多次元拡散、レイヤ固有及び／又はＵＥ固有のビットレベルインターリーブ、並びにレイヤ固有及び／又はＵＥ固有のシンボルレベルインターリーブのうちの１つ又は複数を使用することによって信号処理動作を設定することを含む。
【０２８６】
一実施形態では、非直交多元接続（ＮｏＭＡ）送信のために設定されるユーザ装置（ＵＥ）は、性能要件を満たすような１つ又は複数の基準に基づいて複数のＮｏＭＡ方式からＮｏＭＡ方式を選択するように設定され、複数のＮｏＭＡ方式の各ＮｏＭＡ方式は信号処理動作のセットを含む。ＵＥは、性能要件を満たすように信号処理動作のセットの１つ又は複数を設定するようにも構成される。
【０２８７】
一実施形態では、コンピュータ実行可能命令を記憶したコンピュータ可読記憶媒体は、プロセッサによって実行されると、性能要件を満たすような１つ又は複数の基準に基づいて複数のＮｏＭＡ方式から非直交多元接続（ＮｏＭＡ）方式を選択することを含む方法を実行する。複数のＮｏＭＡ方式の各ＮｏＭＡ方式は、信号処理動作のセットを含む。方法は、性能要件を満たすように信号処理動作のセットの１つ又は複数を設定することも含む。
【０２８８】
一実施形態では、非直交多元接続（ＮｏＭＡ）信号の送信方法は、情報ビットを受信することと、データ処理動作のセットを適用してＮｏＭＡ信号を生成することとを含む。少なくとも１つのデータ処理動作は、ユーザ装置（ＵＥ）固有、レイヤ固有、ネットワーク固有、又はそれらの組合せである。方法は、ＮｏＭＡ信号を送信することも含む。
【０２８９】
本開示の一態様では、送信のための信号を生成するために使用されるデータ処理動作のセットは、ａ）ＵＥ固有のビットレベル動作、ｂ）ＵＥ固有のシンボルレベル動作、ｃ）ネットワーク固有のビットレベル動作、ｄ）ネットワーク固有のシンボルレベル動作のうちの少なくとも１つを含む。
【０２９０】
本開示の一態様では、送信のための信号を生成するために使用されるデータ処理動作のセットは、ａ）ビットレベルインターリーブ及び／又はスクランブル、ｂ）ビットレベルスクランブル、ｃ）変調シンボルシーケンス生成、ｄ）シンボル対ＲＥマッピング、ｅ）シンボルシーケンスプリコーディング、ｆ）波形変調のうちの少なくとも１つを含む。
【０２９１】
本開示の一態様では、変調シンボルシーケンス生成は、シンボル毎のＱＡＭ変調、ＢＰＳＫ変調、及び／又はπ／２−ＢＰＳＫ変調を含む。
【０２９２】
本開示の一態様では、変調シンボルシーケンス生成は、シンボル毎の非ＱＡＭ変調、ＢＰＳＫ変調、及び／又はπ／２−ＢＰＳＫ変調を含む。
【０２９３】
本開示の一態様では、変調シンボルシーケンス生成は多次元変調を含む。
【０２９４】
本開示の一態様では、変調シンボルシーケンス生成は、コンステレーションマッピングをさらに含む。
【０２９５】
本開示の一態様では、変調シンボルシーケンス生成は、第１のシンボルレベル拡散と第２のシンボルレベル拡散とをさらに含む。
【０２９６】
本開示の一態様では、第１及び第２のシンボルレベル拡散長の長さは同じではない。
【０２９７】
本開示の一態様では、変調シンボルシーケンス生成は、シンボルグループ化とそれに続くマトリックス拡散をさらに含む。
【０２９８】
本開示の一態様では、変調シンボルシーケンス生成は、変調シンボルの位相／振幅調整をさらに含む。
【０２９９】
本開示の一態様では、変調シンボルシーケンス生成は、シンボルレベルインターリーブをさらに含む。
【０３００】
本開示の一態様では、変調シンボルシーケンス生成は、シンボルレベルスクランブルをさらに含む。
【０３０１】
本開示の一態様では、変調シンボルシーケンス生成は、ａ）ＵＥ固有及び／又はレイヤ固有のシンボルインターリーブ、ｂ）ＵＥ固有及び／又はレイヤ固有のシンボルスクランブル、ｃ）ＵＥ固有及び／又はレイヤ固有のシンボル拡散のうちの少なくとも１つをさらに含む。
【０３０２】
本開示の一態様では、変調シンボルシーケンス生成は、ａ）レイヤ固有のシンボルインターリーブ、ｂ）レイヤ固有のシンボルスクランブル、及びｃ）レイヤ固有のシンボル拡散のうちの少なくとも１つをさらに含む。
【０３０３】
本開示の一態様では、変調シンボルシーケンス生成は、ａ）ネットワーク固有のシンボルインターリーブ、ｂ）ネットワーク固有のシンボルスクランブル、ｃ）ネットワーク固有のシンボル拡散のうちの少なくとも１つをさらに含む。
【０３０４】
本開示の一態様では、シンボルシーケンスプリコーディングが、シンボル対ＲＥマッピングの前に適用される。
【０３０５】
本開示の一態様では、シンボルシーケンスプリコーディングは、シンボル対ＲＥマッピングの後に適用される。
【０３０６】
本開示の一態様では、シンボルシーケンスプリコーディングはＤＦＴ行列乗算を含む。
【０３０７】
本開示の一態様では、シンボル対ＲＥマッピングは、インターリーバを用いない非スパース順次マッピングを含む。
【０３０８】
本開示の一態様では、シンボル対ＲＥマッピングは、ＵＥ固有及び／又はレイヤ固有のインターリーバを用いた非スパース順次マッピングを含む。
【０３０９】
本開示の一態様では、シンボル対ＲＥマッピングは、ネットワーク固有のインターリーバを用いた非スパース順次マッピングを含む。
【０３１０】
本開示の一態様では、シンボル対ＲＥマッピングは、固定したスパーシティパターンを用いたスパースマッピングを含む。
【０３１１】
本開示の一態様では、シンボル対ＲＥマッピングは、固定したスパーシティレベル及びネットワーク固有のスパーシティパターンを用いたスパースマッピングを含む。
【０３１２】
本開示の一態様では、シンボル対ＲＥマッピングは、固定したスパーシティレベルと、ＵＥ固有及び／又はレイヤ固有のスパーシティパターンとを用いたスパースマッピングを含む。
【０３１３】
本開示の一態様では、シンボル対ＲＥマッピングは、ネットワーク固有のスパーシティレベル及びネットワーク固有のスパーシティパターンを用いたスパースマッピングを含む。
【０３１４】
本開示の一態様では、シンボル対ＲＥマッピングは、ネットワーク固有のスパーシティレベルと、ＵＥ固有及び／又はレイヤ固有のスパーシティパターンとを用いたスパースマッピングを含む。
【０３１５】
本開示の一態様では、シンボル対ＲＥマッピングは、ＵＥ固有のスパーシティレベルと、ＵＥ固有及び／又はレイヤ固有のスパーシティパターンとを用いたスパースマッピングを含む。
【０３１６】
本開示の一態様では、ＮｏＭＡ送信は、少なくとも１つのユーザ装置（ＵＥ）からネットワーク側受信機へのアップリンク方向の送信を含む。
【０３１７】
本開示の一態様では、少なくとも１つのＵＥは、ネットワークからの入力なしにどのデータ処理動作を選択するかの決定を下す。
【０３１８】
本開示の一態様では、少なくとも１つのＵＥは、ネットワークからの入力に基づいてどのデータ処理動作を選択するかの決定を下す。
【０３１９】
本開示の一態様では、送信のための信号を生成するために使用されるデータ処理動作のセットを選択することは、ａ）アプリケーション固有のシナリオ、ｂ）ＮｏＭＡ送信のための物理レイヤ要件、ｃ）満たしているキーパラメータインジケータ（ＫＰＩ）のうちの少なくとも１つを含む。
【０３２０】
本開示の一態様では、ＮｏＭＡ送信のための物理レイヤ要件は、ａ）信号のスペクトル効率、ｂ）信号の変調及び符号化方式、ｃ）ピーク対平均電力比（ＰＡＰＲ）、ｄ）チャネル品質指標（ＣＱＩ）及び／又は信号対雑音比（ＳＮＲ）測定値を含むがこれらに限定されるものではない信号のチャネル属性のうちの少なくとも１つを含む。
【０３２１】
本開示の一態様では、信号処理動作のセットを選択することは、１つ又は複数の性能要件を満たすように信号処理動作のセットの１つ又は複数の信号処理動作を設定することをさらに含む。
【０３２２】
本開示の一態様では、１つ又は複数の性能要件は、ａ）信号カバレッジ、ｂ）システム接続密度、ｃ）スペクトル効率に関連する性能要件を含む。
【０３２３】
一実施形態では、非直交多元接続（ＮｏＭＡ）信号を送信するように設定される端末装置は、少なくとも１つのアンテナと、プロセッサと、プロセッサによって実行されると上述した実施形態又は態様のうちのいずれか１つに従って方法を実行するコンピュータ実行可能命令を記憶したコンピュータ可読記憶媒体とを含む。
【０３２４】
一実施形態では、プロセッサによって実行されると、上述した実施形態又は態様のうちのいずれか１つに従って方法を実行するコンピュータ実行可能命令を記憶したコンピュータ可読記憶媒体が提供される。
【０３２５】
一実施形態では、非直交多元接続（ＮｏＭＡ）信号のデータストリームは、上述した実施形態又は態様のいずれか１つの方法に従って提供される。
【０３２６】
ＮｏＭＡ信号の送信のためのネットワーク装置における実施形態の方法は、情報ビットを受信するか、そうでなければ取得することを含む。方法は、ＮｏＭＡ信号を送信することも含む。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有、ＵＥ固有、又はそれらの組合せである。
【０３２７】
非直交多元接続（ＮｏＭＡ）信号を送信するように設定される一実施形態のユーザ装置（ＵＥ）は、少なくとも１つのアンテナと、プロセッサと、プロセッサによって実行されると方法を実行するコンピュータ実行可能命令を記憶したコンピュータ可読記憶媒体とを含む。方法は、情報ビットを受信するか、そうでなければ取得することを含む。方法は、ＮｏＭＡ信号を送信することも含む。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有及び／又はＵＥ固有である。
【０３２８】
非直交多元接続（ＮｏＭＡ）信号を送信するように設定される一実施形態のユーザ装置（ＵＥ）が提供される。ＵＥは、情報ビットを受信するか、そうでなければ取得するように設定される。ＵＥは、ＮｏＭＡ信号を送信するようにも設定される。ＮｏＭＡ信号は１つ又は複数のレイヤを含む。ＮｏＭＡ信号は、情報ビットに従って、及び複数の信号処理動作から選択された信号処理動作のセットに従って生成される。信号処理動作のセットの少なくとも１つは、レイヤ固有及び／又はＵＥ固有である。
【０３２９】
本開示の１つ又は複数の態様では、少なくとも１つの信号処理動作のセットは、ユーザ装置（ＵＥ）固有、レイヤ固有、ネットワーク固有、又はそれらの組合せである。
【０３３０】
本開示の１つ又は複数の態様では、ＮｏＭＡ信号を生成するために使用される信号処理動作のセットは、レイヤ固有のビットレベル多重化信号処理動作及びレイヤ固有のシンボルレベル多重化信号処理動作のうちの少なくとも１つを含む。
【０３３１】
本開示の１つ又は複数の態様では、信号処理動作のセットは、ａ）ビットレベルインターリーブ、ｂ）ビットレベルスクランブル、ｃ）シンボルレベル拡散、ｄ）シンボルレベルインターリーブ、ｅ）シンボル対送信ユニットマッピング、ｆ）変調シンボルシーケンス生成、ｇ）シンボル対リソース要素（ＲＥ）マッピング、ｈ）シンボルシーケンスプリコーディング、及びｉ）波形変調のうちの少なくとも１つを実行する動作を含む。
【０３３２】
本開示の１つ又は複数の態様では、ＮｏＭＡ信号を送信することは、少なくとも１つのユーザ装置（ＵＥ）からネットワーク側受信機へのアップリンク方向にＮｏＭＡ信号を送信することを含む。
【０３３３】
本開示の１つ又は複数の態様では、少なくとも１つのＵＥは、ネットワークからの入力なしにどの信号処理動作を選択するかの決定を下す。
【０３３４】
本開示の１つ又は複数の態様では、ＮｏＭＡ信号を生成するために、複数の信号処理動作から選択された信号処理動作のセットに従って生成されたＮｏＭＡ信号を送信することは、ａ）アプリケーション固有のシナリオ、ｂ）ＮｏＭＡ送信のための物理レイヤ要件、及びｃ）満たしているキーパラメータインジケータ（ＫＰＩ）のうちの少なくとも１つに基づいて複数の信号処理動作から信号処理動作のセットを選択することを含む。
【０３３５】
本開示の１つ又は複数の態様では、ＮｏＭＡ送信のための物理レイヤ要件は、ａ）信号のスペクトル効率、ｂ）信号の変調及び符号化方式、ｃ）ピーク対平均電力比（ＰＡＰＲ）、ｄ）チャネル品質指標（ＣＱＩ）及び／又は信号対雑音比（ＳＮＲ）測定値を含むがこれらに限定されるものではない信号のチャネル属性のうちの少なくとも１つを含む。
【０３３６】
本開示の１つ又は複数の態様では、ＮｏＭＡ信号を送信するために、複数の信号処理動作から選択された信号処理動作のセットに従って生成されたＮｏＭＡ信号を送信することは、１つ又は複数の性能要件を満たすように信号処理動作のセットの１つ又は複数の信号処理動作を設定することをさらに含む。
【０３３７】
本開示の１つ又は複数の態様では、１つ又は複数の性能要件は、ａ）信号カバレッジ、ｂ）システム接続密度、及びｃ）スペクトル効率に関連する性能要件を含む。
【０３３８】
いくつかの実施形態では、プロセッサは、汎用コンピュータハードウェアプラットフォームのコンポーネントであり得る。他の実施形態では、プロセッサは、専用ハードウェアプラットフォームのコンポーネントであり得る。例えば、プロセッサは組込み型プロセッサとすることができ、命令はファームウェアとして提供することができる。いくつかの実施形態は、ハードウェアのみを使用することによって実施され得る。いくつかの実施形態では、プロセッサによる実行のための命令はソフトウェア製品の形で具体化してもよい。ソフトウェア製品は、例えばコンパクトディスク読取り専用メモリ（ＣＤ−ＲＯＭ）、ユニバーサルシリアルバス（ＵＳＢ）フラッシュディスク、又はリムーバブルハードディスクとすることができる不揮発性又は非一時的な記憶媒体に記憶させることができる。
【０３３９】
本開示のいくつかの実施形態は、規定された処理オペレータに基づいて必要とされるＫＰＩに応じて、特定のアプリケーションシナリオに対する適切なＭＡ方式の選択を可能にし得る。
【０３４０】
いくつかの実施形態のこれまでの説明は、当業者が本開示による機器、方法、又はプロセッサ可読媒体を製造又は使用することを可能にするために提供されている。これらの実施形態に対する様々な変形形態は当業者には容易に明らかとなり、本明細書で説明した方法及び装置の一般的な原理は他の実施形態に適用し得る。従って、本開示は、本明細書に示されている実施形態に限定することを意図するものではなく、本明細書に開示されている原理及び新規な特徴と矛盾しない最も広い範囲を与えられるべきである。
【図１Ａ】
2019530384.tif 000013
【図１Ｂ】
2019530384.tif 000014
【図２】
2019530384.tif 000015
【図３】
2019530384.tif 000016
【図４】
2019530384.tif 000017
【図５】
2019530384.tif 000018
【図６】
2019530384.tif 000019
【図７】
2019530384.tif 000020
【図８】
2019530384.tif 000021
【図９】
2019530384.tif 000022
【図１０】
2019530384.tif 000023
【図１１】
2019530384.tif 000024
【図１２】
2019530384.tif 000025
【図１３】
2019530384.tif 000026
【図１４Ａ】
2019530384.tif 000027
【図１４Ｂ】
2019530384.tif 000028
【図１５】
2019530384.tif 000029
【図１６Ａ】
2019530384.tif 000030
【図１６Ｂ】
2019530384.tif 000031
【図１７】
2019530384.tif 000032
【図１８】
2019530384.tif 000033
【図１９】
2019530384.tif 000034
【図２０】
2019530384.tif 000035
【図２１】
2019530384.tif 000036
【図２２】
2019530384.tif 000037
【図２３】
2019530384.tif 000038
【図２４】
2019530384.tif 000039
【図２５】
2019530384.tif 000040
【図２６】
2019530384.tif 000041
【図２７】
2019530384.tif 000042
【図２８】
2019530384.tif 000043
【図２９】
2019530384.tif 000044
【図３０Ａ】
2019530384.tif 000045
【図３０Ｂ】
2019530384.tif 000046
【図３０Ｃ】
2019530384.tif 000047
【図３１】
2019530384.tif 000048
【図３２】
2019530384.tif 000049
【図３３】
2019530384.tif 000050
【図３４】
2019530384.tif 000051
【図３５】
2019530384.tif 000052
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
ネットワーク装置における非直交多元接続（ＮｏＭＡ）信号を送信するための方法であって、
情報ビットを取得するステップと、
前記ＮｏＭＡ信号を送信するステップであって、該ＮｏＭＡ信号は１つ又は複数のレイヤを含み、前記ＮｏＭＡ信号は、前記情報ビットに従って、及び複数の信号処理動作から選択された信号処理動作のセットに従って生成され、該信号処理動作のセットの少なくとも１つはレイヤ固有である、送信するステップと、を含む、
方法。
【請求項２】
前記信号処理動作のセットの少なくとも１つは、ユーザ装置（ＵＥ）固有、ネットワーク固有、又はそれらの組合せである、請求項１に記載の方法。
【請求項３】
前記ＮｏＭＡ信号を生成するために使用される前記信号処理動作のセットは、レイヤ固有のビットレベル多重化信号処理動作、及びレイヤ固有のシンボルレベル多重化信号処理動作のうちの少なくとも１つを含む、請求項１又は２に記載の方法。
【請求項４】
前記信号処理動作のセットは、
ａ）ビットレベルインターリーブ、
ｂ）ビットレベルスクランブル、
ｃ）シンボルレベル拡散、
ｄ）シンボルレベルインターリーブ、
ｅ）シンボル対送信ユニットマッピング、
ｆ）変調シンボルシーケンス生成、
ｇ）シンボル対リソース要素（ＲＥ）マッピング、
ｈ）シンボルシーケンスプリコーディング、及び
ｉ）波形変調
のうちの少なくとも１つを実行する動作を含む、請求項１乃至３のいずれか一項に記載の方法。
【請求項５】
前記ＮｏＭＡ信号を送信するステップは、少なくとも１つのユーザ装置（ＵＥ）からネットワーク受信機へのアップリンク方向に前記ＮｏＭＡ信号を送信するステップを含む、請求項１乃至４のいずれか一項に記載の方法。
【請求項６】
前記少なくとも１つのＵＥは、ネットワークからの入力なしに、どの信号処理動作を選択するかの決定を下す、請求項５に記載の方法。
【請求項７】
前記ＮｏＭＡ信号を生成するために、複数の信号処理動作から選択された信号処理動作のセットに従って生成された前記ＮｏＭＡ信号を送信するステップは、
ａ）アプリケーション固有のシナリオ、
ｂ）ＮｏＭＡ送信のための物理レイヤ要件、及び
ｃ）キーパラメータインジケータ（ＫＰＩ）
のうちの少なくとも１つに基づいて、前記複数の信号処理動作から前記信号処理動作のセットを選択するステップを含む、請求項１乃至６のいずれか一項に記載の方法。
【請求項８】
前記ＮｏＭＡ送信のための前記物理レイヤ要件は、
ａ）信号のスペクトル効率、
ｂ）前記信号の変調及び符号化方式、
ｃ）ピーク対平均電力比（ＰＡＰＲ）、及び
ｄ）前記信号のチャネル属性
のうちの少なくとも１つを含む、請求項７に記載の方法。
【請求項９】
前記ＮｏＭＡ信号を生成するために、複数の信号処理動作から選択された信号処理動作のセットに従って生成された前記ＮｏＭＡ信号を送信するステップは、１つ又は複数の性能要件を満たすように前記信号処理動作のセットの１つ又は複数を設定するステップをさらに含む、請求項１乃至８のいずれか一項に記載の方法。
【請求項１０】
前記１つ又は複数の性能要件は、
ａ）信号カバレッジ、
ｂ）システム接続密度、及び
ｃ）スペクトル効率
に関連する少なくとも１つの性能要件を含む、請求項９に記載の方法。
【請求項１１】
非直交多元接続（ＮｏＭＡ）信号を送信するように設定されるユーザ装置（ＵＥ）であって、当該ＵＥは、
少なくとも１つのアンテナと、
プロセッサと、
コンピュータ実行可能命令を記憶したコンピュータ可読記憶媒体と、を有しており、
前記命令が前記プロセッサによって実行されると、請求項１乃至１０のいずれかによる方法を実行する、
ユーザ装置。
【手続補正２】
【補正対象書類名】明細書
【補正対象項目名】００９５
【補正方法】変更
【補正の内容】
【００９５】
ステップ１２１０は、受信装置がＭＡ信号を受信することを含む。
【手続補正３】
【補正対象書類名】明細書
【補正対象項目名】０１１２
【補正方法】変更
【補正の内容】
【０１１２】
シンボルレベルインターリーブ１４１０の信号処理動作は、４つのブロック内のシンボルを１４２０Ａ、１４２０Ｂ、１４２０Ｃ、及び１４２０Ｄのブロック配置から１４２０Ａ、１４２０Ｃ、１４２０Ｂ、及び１４２０Ｄのブロック配置にシャッフルする。
【手続補正４】
【補正対象書類名】明細書
【補正対象項目名】０１６４
【補正方法】変更
【補正の内容】
【０１６４】
図２３にケース７として示されている本開示の一態様では、変調シンボルレベルシーケンス生成は、入力ビットの各ストリームをＬ個のシンボルにマッピングするための長さＬの多次元変調によって、続いてサイズＬ×Ｌ１（Ｌ１＞＝Ｌ）を有する第１の行列拡散によって実行され、第１の変調シンボルシーケンスを生成する。
【国際調査報告】
2019530384.tif 000053
2019530384.tif 000054